(57)【要約】開示された主題は、無線通信システムにおけるアップリンク通信波形選択を容易にすることに関し、より詳細には、第５世代（５Ｇ）無線通信システムにおけるアップリンク通信波形選択を容易にすることに関する。１つ以上の実施形態では、プロセッサと、このプロセッサによって実行されると、動作の実行を容易にする実行可能命令を記憶するメモリとを備えるシステムが提供される。これらの動作は、無線通信ネットワークの第１のデバイスと第２のネットワークデバイスとの間の無線通信リンクを確立することを容易にすることと、第１のデバイスから第２のネットワークデバイスへのアップリンクデータ送信の実行に関連して第１のデバイスによって適用される波形フィルタリングプロトコルを決定することとを含むことができる。【選択図】図３
2019537860.tif 000002
【特許請求の範囲】
【請求項１】
プロセッサと、
前記プロセッサによって実行されると、
無線通信ネットワークの第１のデバイスと第２のネットワークデバイスとの間の無線通信リンクを確立することを容易にすることと、
前記第１のデバイスから前記第２のネットワークデバイスへのアップリンクデータ送信の実行に関連して前記第１のデバイスによって適用される波形フィルタリングプロトコルを決定することと、
を含む動作の実行を容易にする実行可能命令を記憶するメモリと、
を備える、システム。
【請求項２】
前記動作は、波形割り当てメッセージを前記第２のネットワークデバイスを介して前記第１のデバイスに送信することを更に含み、
前記波形割り当てメッセージは、前記波形フィルタリングプロトコルを前記アップリンクデータ送信に用いるように前記第１のデバイスに指示する情報を含み、前記送信することに基づいて、前記第１のデバイスは、前記波形フィルタリングプロトコルを適用するように構成される、請求項１に記載のシステム。
【請求項３】
前記波形割り当てメッセージを前記送信することは、該波形割り当てメッセージを前記無線通信リンクの制御チャネルにおいて送信することを含む、請求項２に記載のシステム。
【請求項４】
前記波形フィルタリングプロトコルは、第１の波形フィルタリングプロトコルを含み、前記動作は、
前記第２のネットワークデバイスにそれぞれ接続された前記第１のデバイス及び第３のデバイスの無線通信を前記第２のネットワークデバイスによって容易にすることに関連したネットワーク状態の変化を特定することと、
前記第１のデバイスから前記第２のネットワークデバイスへのアップリンクデータ送信の実行に関連して前記第１のデバイスによって適用される第２の波形フィルタリングプロトコルを決定することと、
を更に含む、請求項２に記載のシステム。
【請求項５】
前記情報は第１の情報であり、前記波形割り当てメッセージは第１の波形割り当てメッセージを含み、前記動作は、
第２の波形割り当てメッセージを前記第２のネットワークデバイスを介して前記第１のデバイスに送信すること、
を更に含み、
前記第２の波形割り当てメッセージは、前記アップリンクデータ送信に前記第２の波形フィルタリングプロトコルを用いるように前記第１のデバイスに指示する第２の情報を含み、前記第２の波形割り当てメッセージを前記送信することに基づいて、前記第１のデバイスは、前記第２の波形フィルタリングプロトコルを適用するように構成される、請求項４に記載のシステム。
【請求項６】
前記第１の波形割り当てメッセージを前記送信することは、第１のシグナリングレイヤプロトコルを用いて前記第１の波形割り当てメッセージを送信することを含み、前記第２の波形割り当てメッセージを前記送信することは、前記第１のシグナリングレイヤプロトコルと異なる第２のシグナリングレイヤプロトコルを用いて前記第２の波形割り当てメッセージを送信することを含む、請求項５に記載のシステム。
【請求項７】
前記動作は、前記無線通信ネットワークの前記第２のネットワークデバイスを介した前記第１のデバイスの無線通信を容易にすることに関連したトラフィック状態を求めることを更に含み、
前記波形フィルタリングプロトコルを前記決定することは、前記トラフィック状態に基づいて前記波形フィルタリングプロトコルを決定することを含む、請求項１に記載のシステム。
【請求項８】
前記動作は、前記無線通信ネットワークの前記第２のネットワークデバイスを介した前記第１のデバイスの前記無線通信を前記容易にすることに関連したスケジューリング状態を求めることを更に含み、
前記波形フィルタリングプロトコルを前記決定することは、前記スケジューリング状態に基づいて前記波形フィルタリングを決定することを含む、請求項１に記載のシステム。
【請求項９】
前記無線通信リンクは第１の無線通信リンクを含み、前記動作は、
前記第２のネットワークデバイスとの第２の無線通信リンクを確立している第３のデバイスに対する前記第１のデバイスの相対ロケーションを求めること、
を更に含み、
前記波形フィルタリングプロトコルを前記決定することは、前記相対ロケーションに基づいて前記波形フィルタリングを決定することを含む、請求項１に記載のシステム。
【請求項１０】
前記波形フィルタリングプロトコルを前記決定することは、サブバンドフィルタリングされた波形を選択することを含む、請求項１に記載のシステム。
【請求項１１】
前記波形フィルタリングプロトコルを前記決定することは、広帯域フィルタリングされた波形を選択することを含む、請求項１に記載のシステム。
【請求項１２】
前記波形フィルタリングプロトコルを前記決定することは、時間領域ウィンドウイングフィルタリングプロトコルを選択することを含む、請求項１に記載のシステム。
【請求項１３】
前記波形フィルタリングプロトコルを前記決定することは、直交サブキャリアを含むマルチキャリア波形方式を決定することを含み、前記マルチキャリア波形プロトコルは、直交周波数分割多重化波形を含む、請求項１に記載のシステム。
【請求項１４】
前記波形フィルタリングプロトコルを前記決定することは、直交サブキャリアを含むマルチキャリア波形方式を決定することを含み、前記マルチキャリア波形プロトコルを前記決定することは、サブバンドフィルタリングされた波形を選択することを含み、前記サブキャリアのうちの第１のサブキャリアは、該第１のサブキャリア以外の前記サブキャリアのうちの第２のサブキャリアに対して異なるニューメロロジーを有する、請求項１に記載のシステム。
【請求項１５】
プロセッサを備えるデバイスによって、無線通信ネットワークのネットワークデバイスと無線通信を行うことに関連したネットワーク状態を求めることと、
前記デバイスによって、前記ネットワーク状態に基づいて、前記ネットワークデバイスにデータを送信することに関連して前記デバイスによって適用される波形フィルタリングプロトコルを決定することと、
を含む、方法。
【請求項１６】
前記デバイスによって、前記波形フィルタリングプロトコルを用いて前記ネットワークデバイスに前記データを送信すること、
を更に含む、請求項１５に記載の方法。
【請求項１７】
前記ネットワーク状態は、前記デバイスによって検出される信号対雑音比を含む、請求項１５に記載の方法。
【請求項１８】
前記波形フィルタリングプロトコルを前記決定することは、前記ネットワーク状態が第１のトラフィック環境を示すことに基づいて、サブバンドフィルタリングされた波形を選択することと、前記ネットワーク状態が第２のトラフィック環境を示すことに基づいて、広帯域フィルタリングされた波形を選択することとを含む、請求項１５に記載の方法。
【請求項１９】
プロセッサによって実行されると、
無線通信ネットワークのデバイスとネットワークデバイスとの間の無線通信リンクを確立することを容易にすることと、
前記デバイスによって前記ネットワークデバイスにアップリンクデータを送信するために前記デバイスによって用いられる波形フィルタリング方式を決定することと、
を含む動作の実行を容易にする実行可能命令を含む、機械可読記憶媒体。
【請求項２０】
前記動作は、波形割り当てメッセージを、前記ネットワークデバイスを介して前記デバイスに送信することを更に含み、
前記波形割り当てメッセージは、前記アップリンクデータの前記送信に前記波形フィルタリング方式を用いるように前記デバイスに命令する情報を含み、前記波形割り当てメッセージを前記送信した結果、前記デバイスは、前記波形フィルタリングプロトコルを適用するように構成される、請求項１９に記載の機械可読記憶媒体。
【発明の詳細な説明】
【技術分野】
【０００１】
［関連出願の相互参照］
本出願は、２０１６年９月２９日に出願された「NETWORK ASSISTED WAVEFORM SELECTION FOR WIRELESS COMMUNICATION SYSTEMS」という発明の名称の米国仮特許出願第６２／４０１，８７２号と、２０１６年１２月１２日に出願された「FACILITATING UPLINK COMMUNICATION WAVEFORM SELECTION」という発明の名称の米国非仮特許出願第１５／３７６，２０９号との優先権の利益を主張する米国非仮特許出願である。各出願の全内容は、引用することによって本明細書の一部をなす。
【０００２】
開示された主題は、無線通信システムにおけるアップリンク通信波形選択を容易にすることに関し、より詳細には、第５世代（５Ｇ）無線通信システム又は他の次世代無線ネットワークにおけるアップリンク通信波形選択を容易にすることに関する。
【背景技術】
【０００３】
データセントリックアプリケーションの非常に大きな要求を満たすために、第３世代パートナーシッププロジェクト（３ＧＰＰ）システム及び無線通信の第４世代（４Ｇ）標準規格の仕様の１つ以上の態様を用いるシステムは、無線通信の第５世代（５Ｇ）標準規格に拡張される。５Ｇ無線通信ネットワークは、現在、開発されており、非常に広い範囲の使用事例及び要件を扱うことを期待され、とりわけ、モバイルブロードバンド（ＭＢＢ）及びマシンタイプ通信（ＭＴＣ）を備える。モバイルブロードバンドの場合、５Ｇ無線通信ネットワークは、指数関数的に増加するデータトラフィックの需要を満たし、人々及びマシンが、実質上ゼロレイテンシーでギガビットデータレートを享受することを可能にすることを期待される。ロングタームエボリューション（ＬＴＥ）ネットワーク及びアドバンストＬＴＥネットワーク等の既存の４Ｇ技術と比較すると、５Ｇは、低レイテンシーを有するはるかに高いスループットを目標とし、より高いキャリア周波数及びより広い帯域幅を利用すると同時に、エネルギー消費及びコストを削減している。まもなく実施される５Ｇ標準規格又は他の次世代ネットワークに関連したサービスのレベルを提供するための固有の課題が存在する。
【図面の簡単な説明】
【０００４】
【図１】本主題の開示の様々な態様及び実施形態による、ユーザー機器（ＵＥ）アップリンク通信の波形選択を容易にする一例示の無線通信システムの説明図である。
【図２】本主題の開示の様々な態様及び実施形態による、直交周波数分割多重化（ＯＦＤＭ）及びフィルタリングされたＯＦＤＭ（Ｆ−ＯＦＤＭ）を示す図である。
【図３】本主題の開示の様々な態様及び実施形態による、ＵＥアップリンク通信のネットワーク支援型波形選択を容易にする一例示のネットワークデバイスの説明図である。
【図４】本主題の開示の様々な態様及び実施形態による、ＵＥアップリンク通信のネットワーク支援型波形選択を容易にする例示のＵＥの説明図である。
【図５】本主題の開示の様々な態様及び実施形態による、ＵＥアップリンク通信のネットワーク支援型波形選択を容易にする一例示の方法の一例示のシグナリング図である。
【図６】本主題の開示の様々な態様及び実施形態による、ＵＥアップリンク通信のＵＥベース型波形選択を容易にする一例示のＵＥの説明図である。
【図７】本主題の開示の様々な態様及び実施形態による、ＵＥアップリンク通信のネットワーク支援型波形選択を容易にする一例示の方法を示す図である。
【図８】本主題の開示の様々な態様及び実施形態による、ＵＥアップリンク通信のネットワーク支援型波形選択を容易にする別の例示の方法を示す図である。
【図９】本主題の開示の様々な態様及び実施形態による、ＵＥアップリンク通信のＵＥベース型波形選択を容易にする一例示の方法を示す図である。
【図１０】開示された主題がインタラクトすることができるコンピューティング環境の一例示の概略ブロック図である。
【図１１】一実施形態による、開示されたシステム及び方法を実行するように動作可能なコンピューティングシステムの一例示のブロック図である。
【発明を実施するための形態】
【０００５】
無線波形又は変調方式の選択は、送受信機設計、複雑度及び無線ニューメロロジー（radio numerology：無線ヌメロロジー）に対するその影響に起因して、５Ｇ無線通信システムの設計において重要な役割を果たす。５Ｇ無線通信システムにおいて用いられる波形は、（少なくともサブミリ波周波数についての）高いスペクトル効率、低レイテンシー及び限られた複雑度等の様々な５Ｇ要件を満たすことが可能であるべきである。幾つかの波形が、５Ｇエアインターフェースの潜在候補として研究されている。各候補は、様々な設計パラメーターに関して異なる利点及び欠点を有する。これらの設計パラメーターは、ピーク対平均電力比、帯域外漏洩、マルチパスにおけるビットエラーレート（ＢＥＲ）、（送信機及び受信機における）複雑度、マルチユーザーサポート、多入力多出力（ＭＩＭＯ）サポート、レイテンシー、非同期性等であるが、これらに限定されるものではない。直交周波数分割多重化（ＯＦＤＮ）及び離散フーリエ変換（ＤＦＴ）拡散（プリコーディング）ＯＦＤＭ（シングルキャリア周波数分割多重化（ＳＣ−ＦＤＭＡ）としても知られている）、並びにフィルターバンクマルチキャリア（ＦＢＭＣ）が最も広く検討されてきた。ＯＦＤＭ及びＦＢＭＣの双方は、データシンボルが複数の周波数サブキャリアを介して同時に送信されるよく知られたマルチキャリア技法である。ＯＦＤＭとＦＢＭＣとの主な相違は、各サブキャリアにおいて適用されるパルス整形に関するものである。ＯＦＤＭは、非常に効率的な実施を可能にする時間領域における単純な矩形ウィンドウを用いるのに対して、ＦＢＭＣでは、各サブキャリアにおけるパルス整形は、（例えば、波形の帯域外（ＯＯＢ）放出を無視できるように、集中した周波数局所化を有するプロトタイプ関数を利用することによって）特定の方法で設計される。ゼロテール（zero-tail）ＤＦＴ拡散ＯＦＤＭ（ＺＴ  ＤＦＴ−ｓ−ＯＦＤＭ）波形は、ＤＦＴ−ｓ−ＯＦＤＭ波形を更に強化するものとして提案されたものである。大きなシンボルセットに一意のサイクリックプレフィックス（ＣＰ）を用い、したがって、システムオーバーヘッドを削減する汎用周波数分割多重化（ＧＦＤＭ）波形も検討されてきた。ユニバーサルフィルターマルチキャリア（ＵＦＭＣ）は、フィルタリング動作をサブキャリアごとではなく周波数ブロック単位で実行することによって、ＯＦＤＭとＦＢＭＣとの間の中間解決策を提供する。他の波形候補は、ユニークワード（ＵＷ）ＤＦＴ拡散ＯＦＤＭ、ＵＷ−ＯＦＤＭ、ＣＰ−ＯＦＤＭ、リソースブロックフィルターＯＦＤＭ、及びユニバーサルフィルターマルチキャリア（ＵＦＭＣ）を含むが、これらに限定されるものではない。
【０００６】
無線波形又は変調の選択は、ニューメロロジー設計に更に影響を与える。ニューメロロジーは、波形パラメーターの可能な値に関する波形の構成を指す。例えば、ＯＦＤＭ及び関連波形に関して、ニューメロロジーは、サブキャリアスペーシング、シンボル持続時間、サイクリックプレフィックス、リソースブロックサイズ、送信時間間隔（ＴＴＩ）長等の観点からの波形構成を指す。様々な潜在波形に加えて、５Ｇは、種々の波形の複数のニューメロロジーをサポートする。最適化された無線ニューメロロジーは、システム設計において基本的な重要性を有する。なぜならば、これによって、設計要件に対処しながら無線リソースの効率的な使用が確保されるからである。その点において、ニューメロロジー設計は、キャリア周波数と、システムを動作させる対象となる環境の伝播特性とに依存している。
【０００７】
さらに、データシンボルが複数の周波数サブキャリアを介して同時に送信される複数のサブバンド又はサブキャリアを用いる波形又は変調（例えば、ＯＦＤＭ、ＣＰ−ＯＦＤＭ、ＤＦＴ拡散ＯＦＭＤ、ＵＦＭＣ、ＦＭＢＣ等）に関して、５Ｇは、単一の波形タイプ内に異なるニューメロロジーを提供し、それぞれのサブバンド又はサブキャリアは、異なるニューメロロジーを有することができる。例えば、従来のＯＦＤＭ、ＣＰ−ＯＦＤＭ、及び関連した信号変調方式を用いると、統一されたニューメロロジーを帯域幅全体にわたって適用することができ、これは、帯域幅全体が同じ波形パラメーター（すなわち、サブキャリアスペーシング、ＣＰ長及びＴＴＩ長）を用いて構成されることを意味する。したがって、各サブバンドは、本明細書において広帯域フィルター又は広帯域フィルタリング方式と呼ばれる同じ周波数領域フィルターを用いてフィルタリングされる。幾つかの実施態様では、各サブバンドは、同じ時間領域フィルター、すなわち、時間領域ウィンドウイング（time domain windowing）と呼ばれるフィルタリング技法を用いてフィルタリングすることができる。ただし、これらの波形タイプの様々な適合態様では、サブバンドは、独立にフィルタリングすることができる。その結果、各サブバンドは、異なる波形パラメーター又はニューメロロジーを用いて構成することができる。サブバンドが異なるニューメロロジーを用いて独立にフィルタリングされる波形構成は、本明細書において、サブバンドフィルタリングされた構成又はサブバンドフィルタリング方式と呼ばれる。
【０００８】
本主題の開示は、ＵＥによって適用される無線周波数（ＲＦ）アップリンクシグナリング波形設計の選択を容易にするコンピューター処理システム、コンピューター実施方法、装置及び／又はコンピュータープログラム製品を対象とする。様々な実施形態では、波形選択は、ネットワークによって行うことができ、ネットワークは、当該ネットワーク（例えば、物理（ＰＨＹ）レイヤネットワークノード）によってサービス提供されるそれぞれのＵＥに、現在のネットワーク状態に基づいて特定の波形構成を適用するように命令することができる。このシナリオは、本明細書においてネットワーク支援型波形選択と呼ばれる。幾つかの追加の実施形態では、ＵＥは、どのような波形を適用するのかを、現在のネットワーク状態に基づいて自律的に決定することができる。このシナリオは、本明細書においてＵＥベース型波形選択と呼ばれる。様々な実施形態では、ネットワーク状態は、次のもの、すなわち、ネットワークノードのスケジューリング制約（例えば、物理リソースブロック（ＰＲＢ）割り当て、空間レイヤ割り当て等を含む）、現在のトラフィック状態（例えば、現在のトラフィック量及びネットワークノードの関連負荷、ＵＥについてスケジューリングされたトラフィックのタイプ等）、ＵＥの相対ロケーション、異なるタイプのトラフィックの生成に関するＵＥ能力、ＵＥが遭遇する現在の信号対雑音比（ＳＮＲ）、ＵＥが遭遇する現在の信号対干渉プラス雑音比（ＳＩＮＲ）等のうちの１つ以上に関するものとすることができる（ただし、これらに限定されるものではない）。
【０００９】
例えば、ネットワーク支援型波形選択によれば、無線通信ネットワークに含まれるＵＥは、それぞれのＵＥの無線通信を容易にするように構成されたネットワークデバイス（例えば、ＮｏｄｅＢデバイス、ｅＮｏｄｅＢデバイス、及びアクセスポイントデバイス等）と通信リンクをそれぞれ確立することができる。ＵＥ及びネットワークデバイスは、広帯域フィルタリング、時間領域ウィンドウフィルタリング、及びサブバンドフィルタリングを提供するマルチキャリア波形方式（例えば、ＯＦＤＭ、ＣＰ−ＯＦＤＭ、ＤＦＴ拡散ＯＦＭＤ、ＵＦＭＣ、ＦＭＢＣ等）を用いるように更に構成することができる。ネットワークノード／デバイスは、ＵＥの無線通信を容易にすることに関連した１つ以上の現在のネットワーク状態に基づいて、それぞれのＵＥがアップリンク送信に対して適用する特定の波形フィルタリング方式を更に決定することができる。１つ以上の実施態様では、波形フィルタリング方式（正：schemes）は、広帯域フィルタリング、時間領域ウィンドウフィルタリング、又はサブバンドフィルタリングを含むことができる。ネットワークノード／デバイスは、各ＵＥに選択された波形フィルタリング方式を適用するようにそれぞれのＵＥに更に指示することができる。例えば、ネットワークノード／デバイスが、或るＵＥに特定の波形フィルタリング方式を選択した後、ネットワークノード／デバイスは、そのＵＥが適用すべき特定の波形を識別する情報を有する波形割り当てメッセージをそのＵＥに送信することができる。幾つかの実施態様では、この波形割り当てメッセージは、制御チャネルにおいて単一のビットを用いて提供することができる。例えば、制御チャネルを介して送信されるメッセージに含まれる第１のビット値は、ＵＥが広帯域フィルタリングを適用すべきことを示す（正：indicate）ことができ、第２のビット値は、ＵＥがサブバンドフィルタリングを適用すべきことを示すことができる（又は、この逆とすることもできる）。ＵＥは、波形割り当てメッセージを解釈し、ＲＦ信号を構成して送信するときに、指示された波形を適用するように更に構成することができる。
【００１０】
幾つかの実施形態では、ネットワークノード／デバイスは、現在のネットワーク状態に基づいて特定の波形フィルタリング方式を適用するようにＵＥに動的に指示することができる。例えば、ネットワークは、第１のフィルタリング方式を適用するようにＵＥに指示し、後に、ネットワーク状態の変化（例えば、トラフィックの減少、スケジューリング制約の低減等）に基づいて、異なるフィルタリング方式を用いるようにＵＥに指示することができる。例えば、トラフィックの減少に基づいて、ネットワークノード／デバイスは、ＵＥがサブバンドフィルタリング方式を引き続き用いる必要はないと判断することができる。例えば、ネットワークノード／デバイスは、ＵＥが、以前に指示されたサブバンドフィルタリング方式の適用を停止すべきであり、隣接する無線システムへの推論漏洩を最小にするために広帯域フィルタリング方式を適用すべきであると判断することができる。これらの実施形態によれば、ネットワークデバイスは、異なるフィルタリング方式を適用するようにＵＥに指示する更新された波形割り当てメッセージをＵＥに送信するように構成することができる。この更新された波形割り当てメッセージは、制御チャネルにおいて又は異なるシグナリングレイヤを介して送信することができる。
【００１１】
ＵＥベース型波形選択によれば、ＵＥは、どのような波形フィルタリング方式をアップリンク通信に適用するのかを１つ以上の現在のネットワーク状態に基づいて自律的に決定することができる。例えば、ネットワークノードとの無線接続の確立に関連して、ＵＥは、これらに限定されるものではないが、ＵＥのスケジューリング情報（例えば、ＰＲＢ割り当て、空間レイヤ割り当て、割り当てられた変調及び符号化方式（ＭＣＳ）等）、現在のトラフィック状態（例えば、現在のトラフィック量及びネットワークノードの関連負荷、ＵＥについてスケジューリングされたトラフィックのタイプ等）、このＵＥの他のＵＥに対する相対ロケーション、異なるタイプのトラフィックの生成に関するＵＥ能力、ＵＥが遭遇する現在のＳＮＲ、ＵＥが遭遇する現在のＳＩＮＲ等に関する情報を（ＵＥが接続を確立したネットワークノードから）受信するか又は求めることができる。これらの現在のネットワーク状態に基づいて、ＵＥは、広帯域フィルタリング、時間領域ウィンドウイングフィルタリング、又はサブバンドフィルタリングのいずれかを選択するように構成することができる。ＵＥは、次に、選択されたフィルタリング方式に従ってアップリンク通信を構成することができる。
【００１２】
１つ以上の追加の実施形態では、帯域幅全体に適用される（すなわち、帯域幅全体が、広帯域ＯＦＤＭ等の同じ波形パラメーターを用いて構成される）単一のニューメロロジーを使用する１つ以上の波形タイプを用いる無線通信システムに関連して、ネットワーク及び／又は１つ以上のネットワークデバイスは、ＵＥが適用する波形ニューメロロジー（すなわち、波形パラメーター値）を、現在のトラフィック状態及び／又はスケジューリング状態に基づいて動的に決定することができる。ネットワーク及び／又は１つ以上のネットワークデバイスは、適用する特定の波形パラメーターを識別する情報を有する波形割り当てメッセージをＵＥに更に提供することができる。ＵＥは、波形割り当てメッセージを解釈し、ＲＦ信号を構成して送信するとき及び受信されたＲＦ信号を復号化するときに、指示された波形パラメーターを適用するように更に構成することができる。加えて、無線通信システムが様々な異なる波形タイプを用いてＵＥとネットワークデバイスとの間の通信を容易にする更に様々な追加の実施形態では、ネットワーク及び／又は１つ以上のネットワークデバイスは、現在のトラフィック状態及び／又はスケジューリング状態に基づいて、ＵＥがどのような波形タイプ（幾つかの実施態様では、波形タイプ及びニューメロロジー）を用いるのかを決定することができる。ネットワーク及び／又は１つ以上のネットワークデバイスは、用いる特定の波形タイプ（幾つかの実施態様では、タイプ及びニューメロロジー）を識別する情報を有する波形割り当てメッセージをＵＥに更に提供することができる。ＵＥは、波形割り当てメッセージを解釈し、ＲＦ信号を構成して送信するとき及び受信されたＲＦ信号を復号化するときに、指示された波形タイプ（及びニューメロロジー）を適用するように更に構成することができる。
【００１３】
１つ以上の実施形態では、プロセッサと、このプロセッサによって実行されると、動作の実行を容易にする実行可能命令を記憶するメモリとを備えるシステムが提供される。これらの動作は、無線通信ネットワークの第１のデバイスと第２のネットワークデバイスとの間の無線通信リンクを確立することを容易にすることと、第１のデバイスから第２のネットワークデバイスへのアップリンクデータ送信の実行に関連して第１のデバイスによって適用される波形フィルタリングプロトコルを決定することとを含むことができる。様々な実施態様では、上記動作は、波形割り当てメッセージを第２のネットワークデバイスを介して第１のデバイスに送信することを更に含み、波形割り当てメッセージは、アップリンクデータ送信に波形フィルタリングプロトコルを用いるように第１のデバイスに指示する情報を含み、この送信に基づいて、第１のデバイスは、波形フィルタリングプロトコルを適用するように構成される。
【００１４】
別の実施形態では、プロセッサを備えるデバイスによって、無線通信ネットワークのネットワークデバイスと無線通信を行うことに関連したネットワーク状態を求めることと、デバイスによって、ネットワーク状態に基づいて、ネットワークデバイスにデータを送信することに関連してデバイスによって適用される波形フィルタリングプロトコルを決定することとを含む、方法が開示される。１つ以上の実施態様では、方法は、デバイスによって、波形フィルタリングプロトコルを用いてネットワークデバイスにデータを送信することを更に含む。一態様では、ネットワーク状態は、デバイスによって検出される信号対雑音及び干渉比を含む。様々な実施形態では、波形フィルタリングプロトコルを決定することは、ネットワーク状態が第１のトラフィック環境を示すことに基づいて、サブバンドフィルタリングされた波形を選択することと、ネットワーク状態が第２のトラフィック環境を示すことに基づいて、広帯域フィルタリングされた波形を選択することとを含む。
【００１５】
更に別の実施形態では、機械可読記憶媒体は、プロセッサによって実行されると、動作の実行を容易にする実行可能命令を含む。これらの作動は、無線通信ネットワークの第１のデバイスと第２のネットワークデバイスとの間の無線通信リンクを確立することを容易にすることと、第１のデバイスによって第２のネットワークデバイスにアップリンクデータを送信するために第１のデバイスによって用いられる波形フィルタリング方式を決定することとを含むことができる。
【００１６】
本主題の開示は、ここで、図面を参照して述べられ、図面において、同様の参照符号は、全体を通して同様の要素を指すために使用される。以下の説明及び添付図面は、本主題の幾つかの特定の例証的な態様を詳細に述べる。しかし、これらの態様は、本主題の原理が実施され得る種々の方法のほんの少数を示す。開示される主題の他の態様、利点、及び新規な特徴は、提供される図面と共に考えられると以下の詳細な説明から明らかになるであろう。以下の説明において、説明のために、多数の特定の詳細は、本主題の開示の完全な理解を提供するために述べられる。しかし、本主題の開示が、これらの特定の詳細なしで実施され得ることが明らかである場合がある。他の事例において、よく知られている構造及びデバイスは、本主題の開示を述べるのを容易にするためにブロック図の形態で示される。
【００１７】
図１は、本主題の開示の様々な態様及び実施形態による、ＵＥアップリンク通信の波形選択を容易にする一例示の無線通信システム１００の説明図である。システム１００は、１つ以上のユーザー機器ＵＥ１０２を備えることができる。ＵＥ１０２は、携帯電話、スマートフォン、タブレットコンピューター、ウェアラブルデバイス、仮想現実（ＶＲ）デバイス、ヘッドアップディスプレイ（ＨＵＤ）デバイス、スマートカー、マシンタイプ通信（ＭＴＣ）デバイス等のモバイルデバイスとすることができる。様々な実施形態では、システム１００は、１つ以上の無線通信ネットワークプロバイダーによってサービス提供される無線通信ネットワークであるか又はこのような無線通信ネットワークを備える。図示した実施形態では、ＵＥ１０２は、ネットワークノード１０４を介して無線通信ネットワークに通信可能に結合することができる。非限定的な用語であるネットワークノード（又は無線ネットワークノード）は、本明細書において、ＵＥ１０２にサービス提供し、及び／又は、他のネットワークノード、ネットワーク要素、若しくはＵＥ１０２が無線信号を受信することができる別のネットワークノードに接続された任意のタイプのネットワークノードを指すのに用いられる。ネットワークノードの例（例えば、ネットワークノード１０４）は、ＮｏｄｅＢデバイス、基地局（ＢＳ：base station）デバイス、アクセスポイント（ＡＰ：access point）デバイス、及び無線アクセスネットワーク（ＲＡＮ：radio access network）デバイスを含み得るが、それに限定されない。ネットワークノード１０４は、マルチスタンダード無線（ＭＳＲ：multi-standard radio）無線ノードデバイスであって、ＭＳＲ  ＢＳ、ｅＮｏｄｅＢ、ネットワークコントローラー、無線ネットワークコントローラー（ＲＮＣ：radio network controller）、基地局コントローラー（ＢＳＣ：base station controller）、リレー、ドナーノード制御リレー、ベーストランシーバー基地局（ＢＴＳ）、伝送ポイント、伝送ノード、ＲＲＵ、ＲＲＨ、分散アンテナシステム（ＤＡＳ：distributed antenna system）内のノード等を含むがそれに限定されない、マルチスタンダード無線（ＭＳＲ）無線ノードデバイスも含み得る。図示した実施形態では、ＵＥ１０２は、無線リンクを介してネットワークノード１０４に対して通信データを送信及び／又は受信することができる。ネットワークノード１０４からＵＥ１０２への破線の矢印はダウンリンク通信を表し、ＵＥ１０２からネットワークノード１０４への実線の矢印はアップリンク通信を表す。
【００１８】
システム１００は、ネットワークノード１０４を介して、ＵＥ１０２を含む種々のＵＥに無線通信サービスを提供することを容易にする１つ以上の通信サービスプロバイダーネットワーク１０６、及び／又は、１つ以上の通信サービスプロバイダーネットワーク１０６内に含まれる種々の更なるネットワークデバイス（図示せず）を更に含み得る。１つ以上の通信サービスプロバイダーネットワーク１０６は、セルラーネットワーク、フェムトネットワーク、ピコセルネットワーク、マイクロセルネットワーク、インターネットプロトコル（ＩＰ：internet protocol）ネットワーク、Ｗｉ−Ｆｉサービスネットワーク、ブロードバンドサービスネットワーク、エンタープライズネットワーク、クラウドベースネットワーク等を含むがそれに限定されない、種々の型の異種ネットワークを含み得る。例えば、少なくとも１つの実施態様において、システム１００は、種々の地理的エリアに及ぶ大規模無線通信ネットワークであり得るか又は大規模無線通信ネットワークを備え得る。この実施態様によれば、１つ以上の通信サービスプロバイダーネットワーク１０６は、無線通信ネットワーク及び／又は無線通信ネットワークの種々の更なるデバイス及び構成要素（例えば、更なるネットワークデバイス及びセル、更なるＵＥ、ネットワークサーバーデバイス等）であり得るか又はそれらを備え得る。ネットワークノード１０４は、１つ以上のバックホールリンク１０８を介して１つ以上の通信サービスプロバイダーネットワーク１０６に接続され得る。例えば、１つ以上のバックホールリンク１０８は、Ｔ１／Ｅ１電話線、デジタル加入者線（ＤＳＬ：digital subscriber line）（例えば、同期又は非同期）、非同期ＤＳＬ（ＡＤＳＬ）、光ファイバーバックボーン、同軸ケーブル等の有線リンク構成要素を含み得る。１つ以上のバックホールリンク１０８は、限定はしないが、地上エアインターフェース又はディープスペースリンク（deep space links）（例えば、ナビゲーション用の衛星通信リンク）を含み得る見通し線（ＬＯＳ：line-of-sight）又は非ＬＯＳリンク等の無線リンク構成要素も含み得る。
【００１９】
無線通信システム１００は、種々のセルラー技術及び変調スキームを使用して、デバイス（例えば、ＵＥ１０２及びネットワークノード１０４）間の無線通信を容易にし得る。例えば、システム１００は、ＵＭＴＳ、ロングタームエボリューション（ＬＴＥ）、高速パケットアクセス（ＨＳＰＡ：high speed packet access）、符号分割多重アクセス（ＣＤＭＡ：code division multiple access）、時分割多重アクセス（ＴＤＭＡ：time division multiple access）、周波数分割多重アクセス（ＦＤＭＡ）、マルチキャリア符号分割多重アクセス（ＭＣ−ＣＤＭＡ：multi-carrier code division multiple access）、シングルキャリア符号分割多重アクセス（ＳＣ−ＣＤＭＡ：single-carrier code division multiple access）、シングルキャリアＦＤＭＡ（ＳＣ−ＦＤＭＡ：single-carrier FDMA）、ＯＦＤＭ、（ＤＦＴ）拡散ＯＦＤＭ又はＳＣ−ＦＤＭＡ））、ＦＢＭＣ、ＺＴ  ＤＦＴ−ｓ−ＯＦＤＭ、ＧＦＤＭ、ＵＦＭＣ、ＵＷ−ＤＦＴ拡散ＯＦＤＭ、ＵＷ−ＯＦＤＭ、ＣＰ−ＯＦＤＭ、リソースブロックフィルタードＯＦＤＭ及びＵＦＭＣに従って動作し得る。しかし、システム１００の種々の特徴及び機能が特に述べられ、システム１００のデバイス（例えば、ＵＥ１０２及びネットワークデバイス１０４）は、データシンボルが複数の周波数サブキャリアを通じて同時に伝送され得る１つ以上のマルチキャリア変調スキーム（例えば、ＯＦＤＭ、ＣＰ−ＯＦＤＭ、ＤＦＴ拡散ＯＦＭＤ、ＵＦＭＣ、ＦＭＢＣ等）を使用して無線信号を通信するように構成される。これらの波形シグナリング技術を用いると、異なる波形パラメーター又はニューメロロジーを用いて各サブバンドを構成することができる。
【００２０】
特に、種々の実施形態において、システム１００は、５Ｇ無線ネットワーク接続特徴及び機能を提供し使用するように構成され得る。５Ｇ無線通信ネットワークは、指数関数的に増加するデータトラフィックの需要を満たし、人々及びマシンが、実質上ゼロレイテンシーでギガビットデータレートを享受することを可能にすることを期待される。４Ｇと比較して、５Ｇは、より多様性のあるトラフィックシナリオをサポートする。例えば、４Ｇネットワークによってサポートされる従来のＵＥ（例えば、電話、スマートフォン、タブレット、ＰＣ、テレビジョン、インターネット対応テレビジョン等）間の種々の型のデータ通信に加えて、５Ｇネットワークは、無人運転車環境及びマシンタイプ通信（ＭＴＣ）に関連するスマートカー間のデータ通信をサポートするために使用され得る。これらの異なるトラフィックシナリオの極端に異なる通信ニーズを考慮して、マルチキャリア変調スキーム（例えば、ＯＦＤＭ及び関連するスキーム）の利益を保持しながら、トラフィックシナリオに基づいて波形パラメーターを動的に構成する能力は、５Ｇネットワークの高い速度／能力及び低レイテンシー要求に対する有意の寄与を提供し得る。帯域幅を幾つかの部分帯域に分割する波形を用いて、異なる型のサービスが、最も適した波形及びニューメロロジー（numerology）を有する異なる部分帯域内に収容され、５Ｇネットワークについて改善されたスペクトル利用をもたらし得る。したがって、様々な実施形態では、システム１００のデバイス（例えば、ＵＥ１０２、ネットワークノード１０４等）は、１つ以上のマルチキャリア変調方式を用いるように構成することができ、サブバンドは、ＯＦＤＭ、ＣＰ−ＯＦＤＭ、ＤＦＴ拡散ＯＦＭＤ、ＵＦＭＣ、ＦＭＢＣ等を含むがこれらに限定されない混合されたニューメロロジーを用いて構成することができる。
【００２１】
しかしながら、サブバンドにおいて異なるニューメロロジーを用いる様々なマルチキャリア方式は、欠点がない（正：devoid of）わけではない。例えば、異なるニューメロロジーを用いたサブキャリアが、信号直交性（正：orthogonality）を用いて干渉を緩和するマルチキャリア波形（例えば、ＯＦＤＭ等）内で送信されるとき、サブキャリア間の直交性が失われる可能性があり、隣接するキャリアからの干渉が他のサブバンドに漏洩する可能性がある。その結果、ネットワークは、複数のニューメロロジーを用いて複数のＵＥをスケジューリングすることができず、ネットワーク容量が大幅に失われる。
【００２２】
この問題を緩和するために、様々な実施形態では、システム１００のデバイス（例えば、ＵＥ１０２、ネットワークノード１０４等）は、信号波形を構成することに関連してサブバンドフィルタリング技法を用いるように構成することができる。サブバンドフィルタリングを用いると、システム帯域幅は、複数のサブバンドに分割され、異なるサブバンドの異なる波形パラメーターは、実際のトラフィックシナリオに従って設定される。各サブバンドは、それぞれのサブバンドが異なるニューメロロジー又は混合されたニューメロロジー（mixed numerology）を有するとき、サブバンド間の直交性を維持するために、独立に更にフィルタリングされる。フィルター構成によって、各サブバンドは、それ自身の構成を達成することができ、組み合わされた５Ｇ波形は、トラフィックタイプに応じた（正：according to）エアインターフェースの動的なソフトパラメーター構成をサポートする。様々な実施形態では、混合されたニューメロロジーの異なるサブバンドを有するサブバンドフィルタリングを用いるＯＦＤＭ波形は、本明細書において、フィルタリングされたＯＦＤＭ波形（Ｆ−ＯＦＤＭ）と呼ばれる。
【００２３】
図２は、本主題の開示の様々な態様及び実施形態によるＯＦＤＭ及びＦ−ＯＦＤＭを示す図を提示している。図２０１は、広帯域フィルタリング又は時間領域ウィンドウフィルタリングが用いられるＯＦＤＭ波形を例示している。前述したように、広帯域フィルタリング及び時間領域ウィンドウフィルタリングを用いると、同じフィルターｈ（ｎ）がそれぞれのサブバンドの各々に適用される。図２０２は、サブバンドフィルタリングが用いられるＦ−ＯＦＤＭ波形を例示している。図２０２に示すように、サブバンドＮ１〜Ｎｋのそれぞれには、別々のフィルター１〜ｋがそれぞれ割り当てられる。
【００２４】
図１を再び参照すると、上述したように、システム帯域幅を異なるサブバンドに分割し、異なるニューメロロジー又は混合されたニューメロロジーをそれぞれのサブバンドに適用したマルチキャリア波形は、スペクトル利用の改善をもたらす異なるタイプのサービスに対応することができる。サブバンドフィルタリングを更に使用することによって、異なるニューメロロジーの隣接するサブキャリアへの干渉拡散が最小にされ、したがって、複数のニューメロロジー展開（numerology deployment）が容易になる。一方、システム１００のトラフィック状態及びスケジューリング状態に応じて、ＵＥが、混合されたニューメロロジーサブバンドを有する波形方式及びサブバンドフィルタリング方式を用いることが必要でない場合もあるし、有利（正：advantageous）でない場合もある。これらのシナリオでは、隣接する無線システムへの推論漏洩を最小にする広帯域フィルタリングされた波形又は時間領域ウィンドウフィルタリング方式がより適している場合がある。
【００２５】
したがって、様々な実施形態では、それぞれのＵＥ１０２（及びシステム１００の他のデバイス）は、現在のネットワーク状態に応じて、異なるフィルタリング方式を用いるように構成することができる。ネットワーク状態は、次のもののうちの１つ以上（これらに限定されるものではない）に関係することができる。すなわち、ネットワークノード１０４によってサービス提供される複数のＵＥ（例えば、ＵＥ１０２）をスケジューリングすることに関連したネットワークノード１０４のスケジューリング制約（例えば、ＰＲＢ割り当て、空間レイヤ割り当て、ＭＳＣ割り当て等を含む）、現在のトラフィック状態（例えば、ネットワークノード１０４のトラフィック及び関連負荷の現在の量、ＵＥ用にスケジューリングされたトラフィックのタイプ、異なるタイプのトラフィック及びＵＥに関連した優先度制約等）、互い及びネットワークノード１０４に対するＵＥ１０２の相対ロケーション、異なるタイプのトラフィックの生成に関するＵＥ能力、ＵＥが遭遇する現在のＳＮＲ、ＵＥが遭遇する現在の信号対干渉プラス雑音比ＳＩＮＲ等のうちの１つ以上に関するものとすることができる。フィルタリング方式は、広帯域フィルタリング方式及び／又は時間領域ウィンドウフィルタリング方式並びに１つ以上のマルチキャリア波形の使用に関連したサブバンドフィルタリング方式（異なるニューメロロジーを有するサブキャリアを有する）を含むことができる。例えば、１つの実施形態では、これらの波形は、ＯＦＤＭ波形及びＦ−ＯＦＤＭ波形を含むことができる。他の適した波形は、ＣＰ−ＯＦＤＭ、ＤＦＴ拡散ＯＦＭＤ、ＵＦＭＣ、及びＦＭＢＣを含むことができるが、これらに限定されるものではない。他の実施態様では、システム１００のデバイスは、広帯域フィルタリング及び／又は時間領域ウィンドウフィルタリングに加えて、混合されたニューメロロジーシナリオにおいてサブバンドフィルタリングを用いて直交性を維持することができる任意のマルチキャリア変調を用いることができる。
【００２６】
幾つかの実施形態では、本明細書においてネットワーク支援型波形選択と呼ばれるシナリオである波形選択は、ネットワークノード１０４又は上位レイヤネットワークデバイス（例えば、コアネットワークデバイス）によって行うことができる。１つ以上の追加の実施形態では、ＵＥは、どのような波形を適用すべきかを現在のネットワーク状態に基づいて自律的に決定することができ、シナリオは、本明細書においてＵＥベース型波形選択と呼ばれる。
【００２７】
ネットワーク支援型波形選択の１つの実施態様では、ＵＥ１０２は、ネットワークノード１０４との無線接続リンクを確立することができる。ネットワークノード１０４（又は無線通信を容易にすることを担当する別の上位レイヤネットワークデバイス）は、ＵＥによる無線通信を容易にすることに関連した無線通信の様々なネットワークサービス要件（例えば、５Ｇネットワークサービス要件）をもたらすネットワーク状態を監視及び評価するように構成することができる。上で述べたように、これらのネットワーク状態は、例えば、ネットワークノード１０４を介したＵＥ１０２の無線通信を容易にすることに関連したトラフィック状態を含むことができる。これらのトラフィック状態は、トラフィックの量及び／又はこのタイプのトラフィックの分布に関係することができる。ネットワーク状態は、異なるサブバンド、空間レイヤ、タイムスロット等へのネットワークノード１０４による複数のＵＥのサービスをスケジューリングすることに関連したスケジューリング制約も含むことができる。ネットワーク状態は、スケジューリングされたＵＥ１０２の相互間の相対距離も含むことができる。ネットワークノード１０４（又は別の適したネットワークデバイス）は、現在のネットワーク状態（例えば、トラフィック状態、スケジューリング制約、相対的なＵＥロケーション等）に基づいて、アップリンクデータ送信に対してそれぞれのＵＥ１０２によって適用される適した波形を更に決定することができる。特に、１つ以上の実施形態では、ネットワークノード１０４（又は接続された別の適したネットワークデバイス）は、サブバンドフィルタリングされた波形又は広帯域フィルタリングされた波形を選択することができる。別の例では、ネットワークノード１０４は、サブバンドフィルタリングされた波形、広帯域フィルタリングされた波形又は時間領域ウィンドウ波形を選択することができる。
【００２８】
幾つかの実施形態では、ネットワークノード１０４は、既定の閾値が、トラフィック量、トラフィックタイプ分布、ＰＲＢスケジューリング分離、空間レイヤスケジューリング、ＭＣＳ割り当て、ＵＥの間の距離等を含むネットワーク状態パラメーターと、広帯域フィルタリング、時間ウィンドウイングフィルタリング、又はサブバンドフィルタリングのいずれかの適用とに関して設定される、閾値ベースの解析を用いることができる。これらの実施形態によれば、現在のネットワーク状態が、１つ以上のネットワーク状態パラメーターが閾値を上回っているのか又は下回っているのかのいずれを示しているのかの判断に基づいて、ネットワークは、広帯域フィルタリング、時間領域ウィンドウイングフィルタリング、又はサブバンドフィルタリングのいずれかを適用するようにＵＥに指示することができる。
【００２９】
例えば、ネットワークノード１０４は、現在のトラフィックレベルが相対的に高い（例えば、閾値トラフィックレベル値を上回っている）場合には、サブバンドフィルタリングを適用し、現在のトラフィックレベルが相対的に低い（例えば、閾値トラフィックレベル値を下回っている）場合には、広帯域フィルタリング又は時間領域ウィンドウイングフィルタリングを適用するようにＵＥ１０２に指示するよう構成することができる。別の例では、ネットワークノード１０４は、現在の平均トラフィックタイプ分布が相対的に高い帯域幅及び／又は優先度要件に関連している（例えば、閾値帯域幅レベル又は優先度レベルを上回っている）場合には、サブバンドフィルタリングを適用し、現在の平均トラフィックタイプ分布が相対的に低い帯域幅及び／又は優先度要件に関連している（例えば、閾値トラフィックレベル値を下回っている）場合には、広帯域フィルタリング又は時間領域ウィンドウイングフィルタリングを適用するようにＵＥ１０２に指示するよう構成することができる。
【００３０】
別の例では、ネットワークノード１０４は、それぞれのＵＥ１０２のデータ通信が、相対的に接近したＰＲＢ（例えば、閾値分離度内）にスケジューリングされている場合には、サブバンドフィルタリングを適用し、それぞれのＵＥ１０２が相対的に遠方のＰＲＢ（例えば、閾値分離度外）にスケジューリングされている場合には、広帯域フィルタリング又は時間領域ウィンドウイングフィルタリングを適用するようにそれぞれのＵＥ１０２に指示するよう構成することができる。例えば、１つの実施形態では、ＵＥ１０２１のスケジューリングブロックとＵＥ１０２２のスケジューリングブロックとの間の差が、Ｎ個のリソースブロック（例えば、３つのリソースブロック）未満である場合、ネットワークノード１０４は、ＵＥが広帯域フィルタリングを用いることを推奨することができる。一方、上記差がＮ個のリソースブロック以上（例えば、３つ以上のリソースブロック）である場合、ネットワークノード１０４は、ＵＥがサブバンドフィルタリングを用いることを推奨することができる。例えば、ネットワークノード１０４が、ＯＦＤＭ帯域幅内で互い隣接するＰＲＢに異なるニューメロロジーを用いてそれぞれのＵＥ１０２１及びＵＥ１０２２をスケジューリングするシナリオを考えることにする。ＵＥにおいてサブバンドフィルタリングを適用することによって、隣接するサブキャリアへの漏洩が少なくなるので、性能を改善することができる。一方、それぞれのＵＥ１０２１及びＵＥ１０２２が、ＰＲＢロケーションにおいて遠く離れて（例えば、３つ以上のブロック離れて）スケジューリングされる場合、サブバンドフィルタリングを適用することの利益はほとんど又は全くない。この場合、ＯＦＤＭキャリアに隣接するシステムに影響を与え得る可能な漏洩を制限するために、広帯域フィルタリング又は時間領域ウィンドウイングフィルタリングを用いるようにＵＥ１０２に指示することができる。
【００３１】
更に別の例では、ネットワークノード１０４は、それぞれのＵＥ１０２が分離されている距離が閾値距離以上である場合には、サブバンドフィルタリングを適用し、それぞれのＵＥ１０２が分離されている距離が閾値距離未満である場合には、広帯域フィルタリング又は時間領域ウィンドウイングフィルタリングを適用するようにＵＥ１０２に指示するよう構成することができる。例えば、それぞれのＵＥが分離されている距離が大きく（例えば、ＵＥ１０２１がセルエッジの近くに位置し、ＵＥ１０２２がセル中心の近くに位置している）、それぞれのＵＥが非同期である場合、それらのＵＥがたとえ同じニューメロロジーを用いていても、直交性は喪失される。したがって、サブバンドフィルタリングを用いることによって、喪失は最小にされる。
【００３２】
種々のネットワーク状態の組み合わせが、サブバンドフィルタリング、広帯域フィルタリング、又は時間領域ウィンドウイングフィルタリングのいずれが適切である（正：appropriate）のかに影響を与えることが理解されるであろう。したがって、様々な実施形態では、ネットワークノード１０４（又は上位レイヤネットワークデバイス）は、サブバンドフィルタリング及び広帯域フィルタリング又は時間領域ウィンドウイングフィルタリングを、測定された種々のネットワーク状態（正：condition）パラメーター（例えば、トラフィック関連パラメーター、スケジューリング関連パラメーター、ＵＥ分離距離、ＳＮＲ、ＳＩＮＲ等）の値の組み合わせに関係付ける１つ以上のアルゴリズムを用いるように構成することができる。
【００３３】
本主題のネットワーク支援型波形選択技法によれば、ネットワークノード１０４（又は上位レイヤネットワークデバイス）が、それぞれのＵＥ１０２の適切な波形を選んだ後、ネットワークノード１０４は、選択された波形をアップリンクデータ送信に対して適用するようにそれぞれのＵＥ１０２に指示することができる。例えば、１つの実施形態では、ネットワークノード１０４は、それぞれのＵＥ１０２に波形割り当てメッセージを送信することができる。この波形割り当てメッセージは、ＵＥ１０２によって適用される波形のタイプを識別する波形構成データを含むことができる。幾つかの実施形態では、この波形構成データは、ＵＥ１０２とネットワークノード１０４との間の無線通信リンクに関連した制御チャネルに含めることができる。例えば、波形割り当てメッセージは、シング（sing）データバイトの形態とすることができ、第１の値（例えば、０）は、ＵＥが広帯域フィルタリング方式を用いるべきことを示し、第２の値（例えば、１）は、ＵＥがサブバンドフィルタリング方式（正：scheme）を用いるべきことを示す。ＵＥは、波形割り当てメッセージを解釈し、指示どおりに対応する波形を適用するように更に構成することができる。
【００３４】
幾つかの実施態様では、サブバンドフィルタリングされた波形の割り当てに関連して、波形割り当てメッセージは、それぞれのサブバンドに適用されるフィルター及び／又はそれぞれのサブバンドのそれぞれのニューメロロジーを更に規定することができる。広帯域フィルタリングされた波形が割り当てられる一実施態様では、波形割り当てメッセージは、波形に適用されるニューメロロジーを識別する情報も含むことができる。ＵＥ１０２は、波形割り当てメッセージを解釈し、アップリンクデータ送信を構成してネットワークノード１０４に送信するとき、指示された波形を適用するように更に構成することができる。
【００３５】
波形割り当てメッセージを送信するのに用いられるシグナリングレイヤプロトコルは、変化する可能性がある。例えば、波形割り当てメッセージは、ネットワークノード１０４が、物理（ＰＨＹ）レイヤシグナリング（例えば、制御チャネルを用いる）を動的に用いて送信することもできるし、上位レイヤシグナリング（例えば、無線リソース制御（ＲＲＣ）メッセージを用いる）を用いて送信することもできる。セルラー通信システムでは、シグナリングレイヤプロトコルは、開放型システム間相互接続（ＯＳＩ）モデルのそれぞれのレイヤに関連したプロトコルを指す。最下位レイヤから最上位レイヤの順に、これらのレイヤは、次の７つのレイヤ、すなわち、ＰＨＹレイヤ又はレイヤ１、データリンクレイヤ又はレイヤ２、ネットワークレイヤ又はレイヤ３、トランスポートレイヤ又はレイヤ４、セッションレイヤ又はレイヤ５、プレゼンテーションレイヤ又はレイヤ６、及びアプリケーションレイヤ又はレイヤ７を含む。幾つかの実施態様では、ネットワークノード１０４は、下位レイヤ（例えば、ＰＨＹレイヤ）シグナリングプロトコルを用いて、波形割り当てメッセージをＵＥに送信するように構成することができる。他の実施態様では、ネットワークノード１０４（又は上位レイヤネットワークデバイス）は、上位レイヤ（例えば、ネットワークレイヤ又はレイヤ３）シグナリングプロトコルを用いて、波形割り当てメッセージを送信するように構成することができる。例えば、上位レイヤシグナリングプロトコルは、無線リソース制御（ＲＲＣ）メッセージを含むことができる。ＲＲＣシグナリングを用いると、シグナリングパラメーターは変化せず、そのため、これらの信号は、上位レイヤシグナリングを通じてシグナリングすることができる。
【００３６】
幾つかの実施形態では、ネットワークノード１０４は、ネットワークノード１０４にアタッチされた状態にあるＵＥに、ネットワーク状態の１つ以上の変化（例えば、トラフィックの減少、スケジューリング制約の低減、ＵＥロケーション等）に基づいてそれらの波形フィルタリング方式を変更するように指示することができる。例えば、ネットワークノード１０４によってサービス提供されるトラフィックの減少に基づいて、ＵＥは、（例えば、隣接する無線システムへの推論漏洩を最小にするために）サブバンドフィルタリング方式の使用を継続することが必要でない場合がある。別の例では、ＵＥ及びネットワーク負荷の増加に関連した新たなスケジューリング制約に基づいて、ネットワークノード１０４は、（例えば、異なるニューメロロジーを用いたサブバンドにおける異なるタイプのサービスに対応し、異なるニューメロロジーの隣接するサブキャリアへの干渉拡散を最小にしながらスペクトル利用を改善するために）アタッチされた１つ以上のＵＥが広帯域フィルタリング方式からサブバンドフィルタリング方式に使用を切り替えるべきであると判断することができる。これらの実施形態によれば、ネットワークノード１０４は、異なるフィルタリング方式を適用するようにＵＥに指示する更新された波形割り当てメッセージをＵＥ１０２に送信するように構成することができる。
【００３７】
この更新された波形割り当てメッセージは、初期波形割り当てメッセージと同じシグナリングレイヤプロトコルを用いて送信することもできるし、異なるシグナリングレイヤプロトコルを用いて送信することもできる。特に、ネットワークノード１０４（又は上位レイヤネットワークデバイス）は、第１のシグナリングレイヤプロトコルを用いて、初期波形割り当てメッセージを送信するとともに、異なる第２のシグナリングレイヤプロトコルを用いて、更新された波形割り当てメッセージを送信し、シグナリングオーバーヘッドの削減又は上記判断を適用する際の遅延の削減を行うことができる。第１のシグナリングレイヤプロトコルは、第２のシグナリングレイヤプロトコルよりも下位のレイヤプロトコルとすることもできるし、その逆とすることもできる。例えば、幾つかの実施態様では、初期波形割り当てメッセージを、制御チャネルを用いて送信し、更新された波形割り当てメッセージを、ＲＲＣメッセージを用いて送信することもできるし、その逆とすることもできる。
【００３８】
本主題のネットワーク支援型波形選択技法を用いると、無線通信ネットワークは、他のサブキャリアへの干渉漏洩を最小化又は回避するとともに、複数のニューメロロジー展開を容易にすることができ、それによって、５Ｇシステムの容量を改善することができる。提案された方法を用いると、ＵＥ１０２は、シャープなフィルターの実装を回避し、それによって、複雑度の低いＵＥの実現を容易にすることによっても利益を得ることができる。例えば、システム１００の１つの例示の実施態様では、異なるニューメロロジーを有するＵＥ１及びＵＥ２を、ＯＦＤＭ帯域幅内で互いに隣接してスケジューリングすることができる。ＵＥにおいてサブバンドフィルタリングを適用することによって、隣接するサブキャリアへの漏洩が少なくなるので、ネットワーク性能を改善することができる。一方、例えば、ＵＥ１及びＵＥ２が、サブキャリアロケーションにおいて遠く離れてスケジューリングされている場合、ネットワークノード１０４は、ＵＥにサブバンドフィルタリングを適用させることに付随したネットワーク利得がほとんど又は全くない（正：there is little or no）と判断することができる。したがって、この場合、ネットワークノード１０４は、広帯域フィルタリング又は時間領域ウィンドウフィルタリングを用いて隣接するＯＦＤＭキャリアへの潜在的な漏洩を防止するようにそれぞれのＵＥに指示することができる。したがって、ネットワークノード１０４（又は別の接続されたネットワークデバイス）は、アタッチされたＵＥが、サブバンドフィルタリング、広帯域フィルタリング、又は時間領域ウィンドウフィルタリングのいずれを用いるべきか及びいつ用いるべきかを決定することができる。
【００３９】
ネットワーク支援型波形選択に加えて、様々な追加の実施形態では、システム１００は、ＵＥベース型波形選択を容易にすることができる。ＵＥベース型波形選択によれば、ＵＥ１０２は、１つ以上の現在のネットワーク状態に基づいて、どのような波形フィルタリング方式をアップリンク通信に適用すべきかを自律的に決定することができる。ＵＥ１０２は、その後、選択されたフィルタリング方式に従ってアップリンク通信を構成及び／又は送信することができる。例えば、ネットワークノード１０４との無線接続の確立に関連して、ＵＥ１０２は、当該ＵＥに適用可能なネットワーク状態（正：condition）パラメーターに関する情報を（ネットワークノード１０４から）受信するか又は求めることができる。これらのパラメーターは、ＵＥのＰＲＢ割り当て、ＵＥの空間レイヤ割り当て、ＵＥのＭＣＳ割り当て、ネットワークノード１０４によってサービス提供される現在のトラフィック量、ネットワークノード１０４によってサービス提供される（正：serviced）現在のトラフィック分布、ＵＥとネットワークノード１０４との間の距離、ＵＥが遭遇する現在のＳＮＲ、ＵＥが遭遇する現在のＳＩＮＲ等を含むが、これらに限定されるものではない。現在のネットワーク状態に基づいて、ＵＥは、ネットワークノード１０４（又は上位レイヤネットワークデバイス）によって用いられるものと同じ又は類似の解析技法を用いて、アップリンク通信について、広帯域フィルタリング、時間領域ウィンドウイングフィルタリング、又はサブバンドフィルタリングのいずれかを選択するように構成することができる。例えば、ＵＥは、１つ以上のネットワーク状態パラメーターの既定の閾値がネットワークによって設定され、ＵＥに提供される閾値ベースの解析を用いることができる。ＵＥは、１つ以上のネットワークパラメーターの測定された値又は求められた値が閾値を上回っているのか又は下回っているのかに基づいて、広帯域フィルタリング、時間領域ウィンドウイングフィルタリング、又はサブバンドフィルタリングの適用を更に選ぶことができる。
【００４０】
例えば、ＵＥ１０２１は、（例えば、閾値トラフィック値に対して）高いトラフィック量を伴う状態では、サブバンドフィルタリングを適用するように構成することができる。別の例では、ＵＥ１０２１は、閾値量よりも少なくＵＥ１０２２から分離されているＰＲＢ割り当てにスケジューリングされると、広帯域フィルタリングではなくサブバンドフィルタリングを用いるように構成することができる。別の例では、ＵＥ１０２１は、閾値量よりも大きい空間レイヤ割り当てにスケジューリングされると、広帯域フィルタリングではなくサブバンドフィルタリングを用いるように構成することができる。別の例では、ＵＥ１０２１は、特定のＭＣＳにスケジューリングされると、広帯域フィルタリングではなくサブバンドフィルタリングを用いるように構成することができる。別の例では、ＵＥ１０２１は、ネットワークノード１０４から分離されている距離が閾値距離よりも大きいことに基づいて、広帯域フィルタリングではなくサブバンドフィルタリングを用いるように構成することができる。別の例では、ＵＥ１０２１は、相対的に高いＳＮＲ値又はＳＩＮＲ値の検出に基づいて、広帯域フィルタリングではなくサブバンドフィルタリングを用いるように構成することができる。特に、ＵＥ１０２１は、低ＳＩＮＲ領域にいるとき、サブバンドフィルタリングによって得るものはない。なぜならば、その領域は、混合されたニューメロロジーではなく、他のセルの干渉によって支配されているからである。別の実施態様では、ＵＥは、サブバンドフィルタリング及び広帯域フィルタリング又は時間領域ウィンドウイングフィルタリングを、測定された種々のネットワーク状態パラメーター（例えば、トラフィック関連パラメーター、スケジューリング関連パラメーター、ＵＥ分離距離、ＳＮＲ、ＳＩＮＲ等）の値の組み合わせに関係付ける１つ以上のアルゴリズムを用いるように構成することができる。
【００４１】
図３は、本主題の開示の様々な態様及び実施形態による、ＵＥアップリンク通信のネットワーク支援型波形選択を容易にする一例示のネットワークデバイス３００の説明図である。様々な実施形態では、システム１００のネットワークノード１０４は、ネットワークデバイス３００とすることもできるし、ネットワークデバイス３００を備えることもできる。他の実施形態では、ネットワークデバイス３００は、ネットワークノード１０４から遠隔ではあるが、１つ以上の通信サービスプロバイダーネットワーク１０６のうちの或る通信サービスプロバイダーネットワークに含まれ、ＵＥ（例えば、ＵＥ１０２）に通信可能に結合され、ＵＥによる無線通信を容易にすることができる。それぞれの実施形態において用いられる同様の要素の繰り返しの説明は、簡略化のために省略される。
【００４２】
本開示において説明されるシステム（例えば、システム１００等）、装置／デバイス（例えば、ネットワークデバイス３００）又はプロセスの態様は、機械（複数の場合もある）内、例えば、１つ以上の機械に関連した１つ以上のコンピューター可読媒体内に具現化される機械実行可能構成要素（複数の場合もある）を構成することができる。そのような構成要素（複数の場合もある）は、１つ以上の機械、例えば、コンピューター（複数の場合もある）、コンピューティングデバイス（複数の場合もある）、仮想機械（複数の場合もある）等によって実行されると、説明した動作を機械（複数の場合もある）に実行させることができる。本明細書に説明した１つ以上の実施形態において用いられる同様の要素の繰り返しの説明は、簡略化のために省略される。図示していないが、ネットワークデバイス３００は、プロセッサと、このプロセッサによって実行されると、動作の実行を容易にする実行可能命令を記憶するメモリとを備えることができる。上記プロセッサ及びメモリ、並びに、ネットワークデバイス３００が動的な波形選択を容易にするのに用いることができる他の適したコンピューター又はコンピューティングベースの要素の例は、図１１を参照することで見つけることができ、図１、図２又は本明細書に開示された他の図に関して図示及び説明されるシステム又は構成要素のうちの１つ以上を実施する際に用いることができる。
【００４３】
１つ以上の実施形態では、ネットワークデバイス３００は、無線通信ネットワーク（例えば、システム１００）に含まれる様々なデバイス（例えば、ＵＥ１０２並びに他のＵＥ及びネットワークデバイス）の間の無線通信を容易にするように構成することができる。例えば、ネットワークデバイス３００は、無線通信ネットワークのｎｏｄｅＢ、ＢＳデバイス、ＡＰデバイス、ＲＡＮデバイス、コア無線ネットワークデバイス等を含むことができる。１つ以上の実施形態では、ネットワークデバイス３００との無線接続リンクの（正：of）確立に基づいて、ＵＥは、ネットワークデバイス３００を介して、ネットワークに含まれる他の様々なデバイスと通信することができる。ＵＥデバイスの能力及びネットワークの能力（例えば、５Ｇ能力対４Ｇ能力）に応じて、ＵＥによって実行される無線通信のタイプは変化する可能性がある。例えば、通信は、拡張モバイルブロードバンド（ｅＭＢＢ）、ＭＴＣ通信、マッシブＭＴＣ通信、及び／又は超高信頼低レイテンシー通信（ＵＲＬＬＣ：ultra-reliable low latency communications）を伴うことができる。それぞれの通信に関連したトラフィックのタイプも、更に変化する可能性がある。
【００４４】
１つ以上の実施形態では、ネットワークデバイス３００は、当該ネットワークデバイス３００に接続されたＵＥ（例えば、ＵＥ１０２）のそのような通信を容易にするために、ネットワーク状態評価構成要素３０２と、波形選択構成要素３０４と、波形割り当て構成要素３０６とを備えることができる。
【００４５】
ネットワーク状態評価構成要素３０２は、アタッチされたデバイス（例えば、ＵＥ１０２）の無線通信を容易にすることに関連した様々なネットワーク状態を求めるように構成することができる。上記で説明したように、これらのネットワーク状態は、接続された複数のＵＥをスケジューリングすることに関連したネットワークデバイス３００のスケジューリング制約を含むことができる。例えば、ネットワークデバイス３００へのＵＥの接続に基づいて、ネットワーク状態評価構成要素３０２は、ＵＥを、ニューメロロジー、ＰＲＢ割り当て、空間レイヤ割り当て、ＭＣＳ割り当て等に関して、他の接続されたＵＥに対してどのようにスケジューリングするのか（又はどのようにスケジューリングすることが所望されているのか）を求めることができる。例えば、ネットワーク状態評価構成要素３０２は、当該ＵＥ及び他の接続されたＵＥを相対的に接近した又は隣接するサブバンドにおいて異なるニューメロロジーにスケジューリングした（又はスケジューリングしたい）か否かを判断することができる。ネットワーク状態評価構成要素３０２は、ネットワークデバイス３００に接続された複数のＵＥをサービス提供することに関連した現在のトラフィック状態に関係するネットワーク状態も求めることができる。例えば、ネットワークデバイス３００へのＵＥの接続に基づいて、ネットワーク状態評価構成要素３０２は、ネットワークデバイスのトラフィック／負荷の現在の量と、ネットワークデバイス３００によってサービス提供されるそれぞれのＵＥについてスケジューリングされたトラフィックのタイプとを求めることができる。ネットワーク状態評価構成要素３０２は、それぞれのＵＥについてスケジューリングされた種々のタイプのトラフィックに関連した優先度制約及びそれぞれのＵＥのトラフィック能力（traffic capabilities）も求めることができる。ネットワーク状態評価構成要素３０２は、ＵＥ１０２の互いの相対ロケーション及び／又はネットワークデバイスに対する相対ロケーション、種々のタイプのトラフィックの生成に関するＵＥの能力、それぞれのＵＥが遭遇する現在のＳＮＲ、ＵＥが遭遇する現在のＳＩＮＲ等も求めることができる。幾つかの実施形態では、ネットワーク評価構成要素３０２は、ネットワーク状態の変化を連続的又は定期的に監視して、ＵＥが現在用いている波形フィルタリング方式を変更するようにＵＥに指示することを容易にするように構成することもできる。
【００４６】
１つ以上の実施形態では、波形選択構成要素３０４は、これらの様々なネットワーク状態に基づいて、アタッチされたそれぞれのデバイスによって適用される波形を決定するように構成することができる。特に、ＵＥ及びネットワークデバイス３００が広帯域フィルタリングされた構成及び／又は時間領域ウィンドウフィルタリングされた構成とサブバンドフィルタリングされた構成との双方とともにマルチキャリア波形を用いるように構成されている様々な実施態様では、波形選択構成要素３０４は、ＵＥに適用可能な現在のネットワーク状態（例えば、当該ＵＥ及びネットワークデバイス３００に接続された他のＵＥの無線通信を容易にすることに関連した１つ以上のスケジューリング状態及び／又はトラフィック状態、ネットワークデバイス３００までのＵＥの相対距離等）に基づいて、ＵＥが、広帯域フィルタリングされた構成、時間領域ウィンドウフィルタリングされた構成、又はサブバンドフィルタリングされた構成のいずれを用いるべきかを決定することができる。例えば、１つの実施形態では、ＵＥ及びネットワークデバイス３００は、ＯＦＤＭ及びｆ−ＯＦＤＭを用いるように構成することができ、ｆ−ＯＦＤＭを用いると、様々なサブバンド又はサブキャリアのうちの少なくとも幾つかは、異なる波形パラメーター（すなわち、異なるニューメロロジー）を含む。幾つかの実施形態では、ＵＥ及びネットワークデバイス３００は、広帯域フィルタリングではなく時間領域ウィンドウイングを用いるように構成することもできる。したがって、ネットワーク状態評価構成要素３０２によって求められる、ネットワークデバイスとＵＥとの間の無線通信に影響を与える様々な現在のネットワーク状態に基づいて、波形選択構成要素３０４は、ＵＥが、広帯域フィルタリング、時間領域ウィンドウイングフィルタリング、又はサブバンドフィルタリングのいずれを適用すべきかを決定することができる。
【００４７】
１つ以上の実施形態では、波形選択構成要素３０４は、ＵＥがどの波形フィルタリング方式を適用すべきであるかを決定することに関連して閾値ベースの解析を用いることができる。これらの実施形態によれば、波形選択構成要素３０４は、１つ以上の規定されたネットワーク状態パラメーターの値を求めることができる。これらのパラメーターは、上記ＵＥのＰＲＢ割り当てと、混合されたニューメロロジーを有する他のスケジューリングされたＵＥのＰＲＢ割り当てとの間の距離、ネットワークデバイスによってサービス提供される現在のトラフィック量又は負荷、上記ＵＥ及び他のスケジューリングされたＵＥについてスケジューリングされたトラフィックの現在のタイプに関連した平均帯域幅要件、上記ＵＥとネットワークデバイスとの間の相対距離等を含むが、これらに限定されるものではない。波形選択構成要素３０４は、次に、１つ以上の規定されたネットワーク状態パラメーターの値がそれぞれの閾値を上回っているのか又は下回っているのかに基づいて、ＵＥがどの波形を適用すべきかを決定することができる。
【００４８】
幾つかの実施形態では、波形選択構成要素３０４は、上述した１つ以上の状態に基づいて、選択された波形のニューメロロジーを更に決定することができる。これらの実施形態によれば、直交サブキャリアを含むマルチキャリア波形のサブバンドフィルタリング方式の選択に関して、幾つかの実施態様では、波形選択構成要素３０４は、それぞれのサブキャリアの特定のニューメロロジーを更に決定することができる。幾つかの実施態様では、波形選択構成要素３０４は、種々のサブキャリアのそれぞれに関連したそれぞれのフィルターも決定することができる。例えば、波形選択構成要素３０４は、異なるニューメロロジーの隣接するサブバンドへの干渉拡散を最小化する（正：minimizes）最小化関数に基づいて、種々のサブバンドに適用されるそれぞれのフィルターを決定することができる。
【００４９】
幾つかの実施形態では、波形選択構成要素３０４は、機械学習技法を用いて、ＵＥの無線通信を容易にすることに関連した１つ以上のトラフィック状態及び／又はスケジューリング状態に基づいてＵＥによって適用される最も適した波形の決定（正：determining）を容易にすることができる。
【００５０】
波形割り当て構成要素３０６は、波形選択構成要素３０４によって選択された及び／又は適していると判断された特定の波形を適用するように、ネットワークデバイス３００に接続されたデバイス（例えば、ＵＥ１０２）に指示するように構成することができる。例えば、１つ以上の実施形態では、波形割り当て構成要素３０６は、そのデバイスについて選択された特定の波形を定義する情報を含む波形割り当てメッセージを生成することができる。幾つかの実施態様では、波形割り当てメッセージは、それぞれのサブチャネルに適用する波形パラメーターを定義する情報を含むことができる。選択された波形がサブバンドフィルタリングされた波形を含む実施態様では、波形割り当てメッセージは、種々のサブバンドのそれぞれに適用するそれぞれのフィルターを定義するフィルター情報も含むことができる。ネットワークデバイス３００は、ネットワーク割り当てメッセージをＵＥに更に送信することができる。ＵＥは、ネットワークデバイス３００から受信された波形割り当てメッセージに含まれる波形を適用するように更に構成することができる。幾つかの実施態様では、ネットワークデバイス３００は、ネットワークデバイス３００とＵＥとの間に確立された無線リンクの制御チャネルにおいて、ネットワーク割り当てメッセージを送信することができる。他の実施態様では、波形割り当て構成要素３０６は、上位レイヤシグナリングプロトコルを用いて波形割り当てメッセージを送信することができる。例えば、波形割り当て構成要素３０６は、波形割り当てメッセージをＲＲＣメッセージとして送信することができる。
【００５１】
ネットワーク状態評価３０２がネットワーク状態３０２を定期的に監視するように構成された様々な追加の実施形態では、ネットワーク状態評価構成要素３０２は、ＵＥと、当該ＵＥによって用いられている特定のフィルタリング方式とに影響を与えるネットワーク状態の変化（例えば、スケジューリング制約の変化、トラフィック負荷の変化、トラフィックタイプ分布の変化、ＵＥとネットワークデバイスとの間の距離の変化等）を識別することができる。例えば、ネットワーク状態評価構成要素３０２は、ネットワークが、上記ＵＥ及び／又はネットワークデバイス３００によってサービス提供される他のＵＥについて、上記ＵＥが他のＵＥに相対的に接近した（閾値ブロック数分離度内の）ＰＲＢにスケジューリングされることをもたらし、それぞれのＵＥが異なるニューメロロジーを用いてスケジューリングされる新たなスケジューリング構成を選択又は適用したか否かを判断することができる。この例によれば、ネットワーク状態評価構成要素３０２は、ネットワーク状態の変化を波形選択構成要素３０４に通知することができ、波形選択構成要素３０４は、ＵＥによって適用される異なるフィルタリング方式（例えば、以前に用いられていた広帯域フィルタリングではなくサブバンドフィルタリング）を選ぶ（正：choose）ことができる。波形割り当て構成要素３０６は、異なるフィルタリング方式を適用するようにＵＥに指示する更新された波形割り当てメッセージをＵＥに更に送信することができる。幾つかの実施態様では、更新された波形割り当てメッセージは、初期波形割り当てメッセージを送信するのに用いられたシグナリングレイヤプロトコルと異なる、更新された波形割り当てメッセージを送信するためのシグナリングレイヤプロトコル（例えば、レイヤ１ではなくレイヤ３）を用いて送信することができる。
【００５２】
図４は、本主題の開示の様々な態様及び実施形態による、ＵＥアップリンク通信のネットワーク支援型波形選択を容易にする例示のＵＥ４００の説明図である。様々な実施形態では、システム１００のＵＥは、ＵＥ４００とすることもできるし、ＵＥ４００を含むこともできる。図示していないが、ＵＥ４００は、プロセッサと、このプロセッサによって実行されると、動作の実行を容易にする実行可能命令を記憶するメモリとを備えることができる。上記プロセッサ及びメモリ、並びに、無線通信用のネットワーク選択波形を受信して適用することに関連してＵＥが用いる（正：employed）ことができる他の適したコンピューター又はコンピューティングベースの要素の例は、図１１を参照することで見つけることができ、ＵＥの１つ以上の構成要素を実施する際に用いることができる。それぞれの実施形態において用いられる同様の要素の繰り返しの説明は、簡略化のために省略される。
【００５３】
図示した実施形態では、ＵＥ４００は、波形適用構成要素４０２を備えることができる。波形適用構成要素４０２は、無線通信ネットワークの１つ以上のネットワークデバイス（例えば、ネットワークデバイス３００、ネットワークノード１０４等）を介したＵＥによる動的に割り当てられた波形を用いた無線通信の実行を容易にすることができる。例えば、波形適用構成要素４０２は、ＵＥ４００がアタッチされているネットワークデバイスから送信された波形割り当てメッセージ及び更新された波形割り当てメッセージを受信して解釈するように構成することができる。波形適用構成要素４０２は、波形適用メッセージにおいて規定された波形を用いて、ＵＥ４００とネットワークデバイス（及び／又は１つ以上の他のデバイス）との間の無線シグナリングを制御するように更に構成することができる。例えば、波形適用構成要素４０２は、割り当てられた波形（例えば、広帯域フィルタリングされた波形、時間領域ウィンドウイングフィルタリングされた波形又はサブバンドフィルタリングされた波形のいずれか）を用いて、ＵＥ４００によって送信される信号（例えば、アップリンク信号）を変調するように構成することができる。
【００５４】
本主題のネットワーク支援型波形選択技法によれば、ネットワークは、変化し得る様々な通信シナリオ、現在のスケジューリング制約、及びトラフィック関連状態に基づいて、ＵＥによって適用される最も適した波形を決定することができる。特に、本主題のネットワーク支援型波形選択技法によれば、幾つかの実施態様では、ネットワークノードは、サブバンドフィルタリング方式を適用するようにＵＥに指示することができ、それによって、異なるニューメロロジーの隣接するサブキャリアへの干渉拡散を最小にすることができる。他の実施態様では、ネットワークノードは、広帯域フィルタリング方式を用いるようにＵＥに指示し、隣接する無線システムへの推論漏洩を最小にすることができる。本主題のネットワーク支援型波形技法を用いることによって、ネットワークは、他のサブキャリアへの干渉漏洩を回避することができ、複数のニューメロロジーの展開を容易にし、それによって、５Ｇシステムの容量を改善する。提案された技法を用いると、ＵＥは、シャープなフィルターの実装を回避し、それによって（正：thereby）、複雑度の低いユーザー端末の実現を容易にすることによっても利益を得ることができる。
【００５５】
図５は、本主題の開示の様々な態様及び実施形態による、ＵＥアップリンク通信のネットワーク支援型波形選択を容易にする一例示の方法の一例示のシグナリング図５００を示している。シグナリング図５００は、ネットワークデバイス３００とＵＥ４００との間で実行することができる一例示のシグナリング方法論を特に記載している。それぞれの実施形態において用いられる同様の要素の繰り返しの説明は、簡略化のために省略される。
【００５６】
５０２において、ネットワークデバイス３００は、ネットワークデバイス３００へのＵＥのアタッチメントに関連して基準信号をＵＥに送信する。５０４において、ネットワークデバイスは、当該ネットワークデバイス３００へのアップリンク送信に対してＵＥ３００によって適用される適切な波形フィルタリング方式を現在のネットワーク状態に基づいて決定する。次に、５０６において、ネットワークデバイス３００は、決定された波形フィルタリング方式を識別する情報と、この波形フィルタリング方式を適用するようにＵＥに命令する情報とを含む初期波形割り当てメッセージをＵＥに送信する。５０８において、ＵＥは、初期波形割り当てメッセージにおいて識別された波形フィルタリング方式を用いてネットワークデバイスにデータを送信する。５１０において、ネットワークデバイスは、当該ネットワークデバイス３００へのアップリンク送信に対してＵＥ３００によって適用される適切な波形フィルタリング方式を現在のネットワーク状態に基づいて再度決定する。ネットワークデバイスが、異なる波形フィルタリング方式が初期波形フィルタリング方式よりも現在ＵＥによって適用されるのに適切であると現在のネットワーク状態に基づいて判断した場合、５１２において、ネットワークデバイス３００は、更新された波形割り当てメッセージをＵＥに送信する。更新された波形割り当てメッセージは、更新された波形フィルタリング方式を識別する情報と、更新された波形フィルタリング方式を適用するようにＵＥに命令する情報とを含むことができる。５１４において、ＵＥは、その後、更新された波形割り当てメッセージにおいて識別された更新された波形フィルタリング方式を用いてネットワークデバイス３００にデータを送信する。
【００５７】
シグナリング図５００によれば、ネットワークデバイス３００は、互いに隣接する複数のニューメロロジーを用いてＵＥをスケジューリングすることができる。１つの実施態様では、ネットワークは、次に、本明細書において説明したスケジューリング及び／又は様々な他のネットワーク状態に基づいてサブバンドフィルタリング又は広帯域フィルタリングを用いるようにそれぞれのＵＥに指示することができる。幾つかの実施態様では、波形割り当てメッセージは、スケジューリング情報とともに制御チャネルにおいて送信することができる。ＵＥは、この情報を受信すると、それに応じて、サブバンドフィルタリング又は広帯域フィルタリングのいずれかを適用する。
【００５８】
図６は、本主題の開示の様々な態様及び実施形態による、ＵＥアップリンク通信のＵＥベース型波形選択を容易にする一例示のＵＥ６００の説明図である。ＵＥ構成要素６００は、ＵＥ４００と同じ又は類似の構成要素を含むことができる。同様の要素の繰り返しの説明は、簡略化のために省略される。一方、図示した実施形態では、ＵＥ６００は、ＵＥアップリンク通信についてＵＥベース型波形選択を実行するように特に構成されている。この実施形態によれば、ＵＥ６００は、ネットワーク状態評価構成要素５０２及び波形選択構成要素５０４、並びに波形割り当て構成要素３０６を備えることができる。
【００５９】
様々な実施形態では、ネットワーク状態評価構成要素５０２は、ネットワーク状態評価構成要素３０２と同じ又は類似の特徴を実行することができる。一方、ネットワーク状態評価構成要素５０２は、ＵＥ６００とネットワークノードとの間の無線接続に関係しているので、ＵＥの観点からのネットワーク状態情報を求めるように特に構成することができる。例えば、ネットワークノード（例えば、ネットワークノード１０４、ネットワークデバイス３００等）との無線接続の確立に関連して、ネットワーク状態評価構成要素３０２は、ＵＥに適用可能なネットワーク状態パラメーターに関する情報を（ネットワークノードから）受信するか又は求めることができる。前述したように、これらのネットワーク状態は、ＵＥのＰＲＢ割り当て、ＵＥの空間レイヤ割り当て、ＵＥのＭＣＳ割り当て、ネットワークノードによってサービス提供される現在のトラフィック量、ネットワークノード１０４による現在のトラフィック分布サービス、ＵＥとネットワークノード１０４との間の距離、ＵＥが受ける現在のＳＮＲ、ＵＥが受ける現在のＳＩＮＲ等を含むことができるが、これらに限定されるものではない。
【００６０】
波形選択構成要素５０４も、波形選択構成要素３０４と同じ又は類似の機能を実行することができる。例えば、ネットワーク状態評価構成要素５０２によって求められた現在のネットワーク状態に基づいて、波形選択構成要素５０４は、波形選択構成要素３０４によって用いられるものと同じ又は類似の解析技法を用いて、アップリンク通信について広帯域フィルタリング、時間領域ウィンドウイングフィルタリング、又はサブバンドフィルタリングのいずれかを選択するように構成することができる。例えば、波形選択構成要素５０４は、１つ以上のネットワーク状態パラメーターの既定閾値がネットワークによって設定されてＵＥ６００に提供される閾値ベースの解析を用いることができる。波形選択構成要素５０４は、１つ以上のネットワークパラメーターの測定された値又は求められた値が閾値を上回っているのか又は下回っているのかに基づいて、広帯域フィルタリング、時間領域ウィンドウイングフィルタリング、又はサブバンドフィルタリングの適用を更に選ぶことができる。
【００６１】
例えば、波形選択構成要素５０４は、ネットワーク状態が第１のトラフィック環境（例えば、高トラフィック量）を示しているときは、サブバンドフィルタリングの（正：of）適用を選択し、ネットワーク状態が第２のトラフィック環境（例えば、低トラフィック量）を示しているときは、広帯域フィルタリングの適用を選択することができる。別の例では、ＵＥが、同じＯＦＤＭ波形において閾値ブロック分離量未満の量だけ他のスケジューリングされたＵＥから分離されたＰＲＢ割り当てにスケジューリングされると、波形選択構成要素５０４は、広帯域フィルタリングではなくサブバンドフィルタリングを選択することができる。別の例では、波形選択構成要素５０４は、閾値量よりも大きい空間レイヤ割り当てにスケジューリングされると、広帯域フィルタリングではなくサブバンドフィルタリングを選択することができる。別の例では、波形選択構成要素５０４は、特定のＭＣＳにスケジューリングされると、広帯域フィルタリングではなくサブバンドフィルタリングを選択することができる。別の例では、波形選択構成要素５０４は、閾値距離よりも大きな距離だけネットワークノード１０４から分離されていることに基づいて、広帯域フィルタリングではなくサブバンドフィルタリングを選択することができる。別の例では、波形選択構成要素５０４は、相対的に高いＳＮＲ値又はＳＩＮＲ値の検出に基づいて、広帯域フィルタリングではなくサブバンドフィルタリングを選択することができる。様々な実施形態では、波形選択構成要素５０４は、サブバンドフィルタリング及び広帯域フィルタリング又は時間領域ウィンドウイングフィルタリングを、測定された種々のネットワーク状態パラメーター（例えば、トラフィック関連パラメーター、スケジューリング関連パラメーター、ＵＥ分離距離、ＳＮＲ、ＳＩＮＲ等）の値の組み合わせに関係付ける１つ以上のアルゴリズムを用いるように構成することができる。
【００６２】
ＵＥベース型波形選択によれば、波形割り当て構成要素３０６は、波形選択構成要素５０４によって選択された特定の波形を適用するように構成することができる。例えば、波形選択構成要素５０４による特定の波形の選択に応じて、波形割り当て構成要素３０６は、選択された波形を用いてデータをネットワークノードに送信するようにＵＥ６００に指示するよう構成することができる。
【００６３】
上記で説明した例示のシステム（複数の場合もある）を考慮すると、開示された主題に従って実施することができる例示の方法（複数の場合もある）は、図７〜図９におけるフローチャートを参照することでより良好に認識することができる。説明を簡単にするために、本明細書に開示された例示の方法は、一連の動作として提示及び説明される。ただし、特許請求される主題は、動作の順序によって限定されるものではないことが理解及び認識されるであろう。なぜならば、幾つかの動作は、本明細書に図示及び説明する順序と異なる順序で及び／又は他の動作と同時に行うことができるからである。例えば、本明細書に開示された１つ以上の例示の方法は、代替的に、状態図等に一連の相互に関係した状態又は事象として表すことができる。その上、本質的に異なるエンティティが、開示された主題による方法の本質的に異なる部分を実施するとき、相互作用図（複数の場合もある）が、これらの方法を表すことができる。さらに、本主題の明細書に従って説明される例示の方法を実施するために、示された全ての動作が必要とされるとは限らない。さらにまた、開示された例示の方法のうちの２つ以上を互いに組み合わせて実施し、本明細書に説明する１つ以上の態様を達成することができる。本主題の明細書全体を通して開示された例示の方法は、プロセッサによる実行、したがって、実施のために又はメモリへの記憶のためにそのような方法をコンピューターにトランスポート及び転送することを可能にするように、製造品（例えば、コンピューター可読媒体）に記憶することが可能であることが更に認識されるであろう。
【００６４】
図７は、本主題の開示の様々な態様及び実施形態による、ＵＥアップリンク通信のネットワーク支援型波形選択を容易にする一例示の方法７００を示している。それぞれの実施形態において用いられる同様の要素の繰り返しの説明は、簡略化のために省略される。
【００６５】
７０２において、プロセッサ（例えば、ネットワークノード１０４、ネットワークデバイス３００等）を備えるネットワークデバイスが、ＵＥ（例えば、ＵＥ１０２、ＵＥ４００等）との無線接続リンクを確立する。７０４において、ネットワークデバイスは、ＵＥから当該ネットワークデバイスへの（例えば、波形選択構成要素３０４を介した）アップリンクデータ送信の実行に関連してＵＥによって適用される波形フィルタリング方式を決定する。例えば、ネットワークデバイスは、上記ＵＥ及びネットワークデバイスにアタッチされた１つ以上の他のＵＥの無線通信を容易にすることに関連した（正：in association with）１つ以上のネットワーク状態に基づいて、サブバンドフィルタリング方式、広帯域フィルタリング方式又は時間領域ウィンドウフィルタリング方式を選択することができる。例えば、これらのネットワーク状態は、スケジューリング制約、トラフィック状態、ネットワークデバイスに対する負荷、及びそれぞれのＵＥの間の距離に基づくことができる。
【００６６】
図８は、本主題の開示の様々な態様及び実施形態による、ＵＥアップリンク通信のネットワーク支援型波形選択を容易にする別の例示の方法８００を示している。それぞれの実施形態において用いられる同様の要素の繰り返しの説明は、簡略化のために省略される。
【００６７】
８０２において、プロセッサを備えるネットワークデバイスが、第１のＵＥとの無線通信リンクを確立する。８０４において、ネットワークデバイスは、第１のＵＥ及びネットワークデバイスに接続された１つ以上の第２のＵＥの無線通信を当該ネットワークデバイスによって容易にすることに関連した１つ以上のネットワーク状態に基づいて、第１のＵＥが広帯域フィルタリング方式を用いるべきか又はサブバンドフィルタリング方式を用いるべきかを決定する。８０６において、ネットワークデバイスは、この決定に基づいてサブバンドフィルタリング方式を選択する。次に、８０８において、ネットワークデバイスは、波形割り当てメッセージを第１のＵＥに送信する。この波形割り当てメッセージは、アップリンクデータ送信にサブバンドフィルタリング方式を用いるように第１のＵＥに指示する情報を含み、この送信に基づいて、第１のＵＥは、サブバンドフィルタリング方式を適用するように構成される。
【００６８】
図９は、本主題の開示の様々な態様及び実施形態による、ＵＥアップリンク通信のＵＥベース型波形選択を容易にする一例示の方法９００を示している。それぞれの実施形態において用いられる同様の要素の繰り返しの説明は、簡略化のために省略される。
【００６９】
９０２において、プロセッサを備えるデバイス（例えば、ＵＥ１０２、ＵＥ６００等）が、無線通信ネットワークのネットワークデバイスと無線通信を行うことに関連したネットワーク状態を求める。９０４において、デバイスは、データをネットワークデバイスに送信することに関連して当該デバイスによって適用される波形フィルタリングプロトコルを、ネットワーク状態に基づいて決定する。９０６において、デバイスは、この波形フィルタリングプロトコルを用いてデータをネットワークデバイスに送信する。
【００７０】
図１０は、開示された主題がインタラクトすることができるコンピューティング環境１０００の概略ブロック図である。システム１０００は、１つ以上のリモート構成要素１０１０を備える。リモート構成要素（複数の場合もある）１０１０は、ハードウェア及び／又はソフトウェア（例えば、スレッド、プロセス、コンピューティングデバイス）とすることができる。幾つかの実施形態では、リモート構成要素（複数の場合もある）１０１０は、サーバー、パーソナルサーバー、無線電気通信ネットワークデバイス、ＲＡＮデバイス（複数の場合もある）等を含むことができる。一例として、リモート構成要素（複数の場合もある）１０１０は、ネットワークノード１０４、ネットワークデバイス３００等とすることができる。
【００７１】
システム１０００は、１つ以上のローカル構成要素１０２０も備える。ローカル構成要素（複数の場合もある）１０２０は、ハードウェア及び／又はソフトウェア（例えば、スレッド、プロセス、コンピューティングデバイス）とすることができる。幾つかの実施形態では、ローカル構成要素（複数の場合もある）１０２０は、例えば、ＵＥ１０２、４００、５００等を含むことができる。
【００７２】
リモート構成要素（複数の場合もある）１０１０とローカル構成要素（複数の場合もある）１０２０との間の１つの可能な通信は、２つ以上のコンピュータープロセスの間で送信されるように適合されたデータパケットの形態とすることができる。リモート構成要素（複数の場合もある）１０１０とローカル構成要素（複数の場合もある）１０２０との間の別の可能な通信は、２つ以上のコンピュータープロセスの間で無線タイムスロットにおいて送信されるように適合された回線交換データの形態とすることができる。システム１０００は、リモート構成要素（複数の場合もある）１０１０とローカル構成要素（複数の場合もある）１０２０との間の通信を容易にするのに用いることができる通信フレームワーク１０４０を備え、ＬＴＥネットワーク等を介したエアインターフェース、例えば、ＵＭＴＳネットワークのＵｕインターフェースを備えることができる。リモート構成要素（複数の場合もある）１０１０は、通信フレームワーク１０４０のリモート構成要素（複数の場合もある）１０１０側に関する情報を記憶するのに用いることができるハードドライブ、固体ドライブ、ＳＩＭカード、デバイスメモリ等の１つ以上のリモートデータストア１０５０に動作可能に接続することができる。同様に、ローカル構成要素（複数の場合もある）１０２０は、通信フレームワーク１０４０のローカル構成要素（複数の場合もある）１０２０側に関する情報を記憶するのに用いることができる１つ以上のローカルデータストア１０３０に動作可能に接続することができる。
【００７３】
開示された主題の様々な態様の状況を提供するために、図１１及び以下の論述は、開示された主題の様々な態様を実施することができる適した環境の簡潔な一般的説明を提供することを意図している。本主題は、単数及び／又は複数のコンピューター上で動作するコンピュータープログラムのコンピューター実行可能命令の一般的な状況において上記で説明されているが、当業者であれば、開示された主題は、他のプログラムモジュールと組み合わせて実施することもできることを認識するであろう。一般に、プログラムモジュールは、特定のタスクを実行し及び／又は特定の抽象データタイプを実施するルーチン、プログラム、構成要素、データ構造体等を含む。
【００７４】
本明細書において、「ストア」、「記憶装置」、「データストア」、「データ記憶装置」、「データベース」、という用語、並びに構成要素の動作及び機能に関連する実質的に任意の他の情報記憶構成要素は、「メモリ構成要素」、「メモリ」において具現化されるエンティティ又はメモリを備える構成要素を指している。本明細書に説明するメモリ構成要素は、揮発性メモリ又は不揮発性メモリのいずれかとすることもできるし、揮発性メモリ及び不揮発性メモリの双方を含むこともでき、限定ではなく例示として、揮発性メモリ１１２０（以下参照）、不揮発性メモリ１１２２（以下参照）、ディスク記憶装置１１２４（以下参照）、及びメモリ記憶装置１１４６（以下参照）を含むことができることに留意されたい。さらに、不揮発性メモリには、リードオンリーメモリ、プログラマブルリードオンリーメモリ、電気的プログラマブルリードオンリーメモリ、電気的消去可能リードオンリーメモリ、又はフラッシュメモリを含めることができる。揮発性メモリは、外部キャッシュメモリとして機能するランダムアクセスメモリを含むことができる。限定ではなく例示として、ランダムアクセスメモリは、同期ランダムアクセスメモリ、ダイナミックランダムアクセスメモリ、同期ダイナミックランダムアクセスメモリ、ダブルデータレート同期ダイナミックランダムアクセスメモリ、拡張同期ダイナミックランダムアクセスメモリ、同期リンクダイナミックランダムアクセスメモリ、及びダイレクトラムバスランダムアクセスメモリ等の多くの形態で入手可能である。加えて、本明細書におけるシステム又は方法の開示されたメモリ構成要素は、限定するものではないが、これらのタイプのメモリ及び他の任意の適したタイプのメモリを含むことを意図している。
【００７５】
その上、開示された主題は、他のコンピューターシステム構成を用いて実施することができることに留意されたい。これらのコンピューターシステム構成には、シングルプロセッサコンピューターシステム又はマルチプロセッサコンピューターシステム、ミニコンピューティングデバイス、メインフレームコンピューターに加えて、パーソナルコンピューター、ハンドヘルドコンピューティングデバイス（例えば、パーソナルデジタルアシスタント、電話機、腕時計、タブレットコンピューター、ノートブックコンピューター、．．．）、マイクロプロセッサベースの電子機器又はプログラマブル民生用電子機器若しくはプログラマブル産業用電子機器等が含まれる。例示した態様は、タスクが、通信ネットワークを通じてリンクされたリモート処理デバイスによって実行される分散型コンピューティング環境においても実施することができる。ただし、本主題の開示の全てではないにしても幾つかの態様は、スタンドアローンコンピューター上で実施することができる。分散型コンピューティング環境では、プログラムモジュールは、ローカルメモリ記憶デバイス及びリモートメモリ記憶デバイスの双方に配置することができる。
【００７６】
図１１は、一実施形態による開示されたシステム及び方法を実行するように動作可能なコンピューティングシステム１１００のブロック図を示している。例えば、ＵＥ（例えば、ＵＥ１０２及び４００）、ネットワークノード（例えば、ネットワークノード１０４及び３００）とすることができるコンピューター１１１２は、処理ユニット１１１４、システムメモリ１１１６、及びシステムバス１１１８を備える。システムバス１１１８は、これに限定されるものではないがシステムメモリ１１１６を含むシステム構成要素を処理ユニット１１１４に結合する。処理ユニット１１１４は、様々な入手可能プロセッサのうちの任意のものとすることができる。デュアルマイクロプロセッサ及び他のマルチプロセッサアーキテクチャも処理ユニット１１１４として用いることができる。
【００７７】
システムバス１１１８は、任意の様々な利用可能なバスアーキテクチャを用いたメモリバス若しくはメモリコントローラー、周辺バス若しくは外部バス、及び／又はローカルバスを含むバス構造（複数の場合もある）の幾つかのタイプのうちの任意のものとすることができる。バスアーキテクチャは、産業標準アーキテクチャ、マイクロチャネルアーキテクチャ、拡張産業標準アーキテクチャ、インテリジェントドライブエレクトロニクス、ビデオエレクトロニクススタンダーズアソシエーションローカルバス、周辺機器相互接続、カードバス、ユニバーサルシリアルバス、アドバンストグラフィックスポート、パーソナルコンピューターメモリカード国際協会バス、Ｆｉｒｅｗｉｒｅ（電気電子技術者協会１１１１４）、及びスモールコンピューターシステムインターフェースを含むが、これらに限定されるものではない。
【００７８】
システムメモリ１１１６は、揮発性メモリ１１２０及び不揮発性メモリ１１２２を備えることができる。起動中等にコンピューター１１１２内の要素間で情報を転送するルーチンを含む基本入出力システムは、不揮発性メモリ１１２２に記憶することができる。限定ではなく例示として、不揮発性メモリ１１２２は、リードオンリーメモリ、プログラマブルリードオンリーメモリ、電気的プログラマブルリードオンリーメモリ、電気的消去可能リードオンリーメモリ、又はフラッシュメモリを含むことができる。揮発性メモリ１１２０は、外部キャッシュメモリとして機能するリードオンリーメモリを含む。限定ではなく例示として、リードオンリーメモリは、同期ランダムアクセスメモリ、ダイナミックリードオンリーメモリ、同期ダイナミックリードオンリーメモリ、ダブルデータレート同期ダイナミックリードオンリーメモリ、拡張同期ダイナミックリードオンリーメモリ、同期リンクダイナミックリードオンリーメモリ、ラムバスダイレクトリードオンリーメモリ、ダイレクトラムバスダイナミックリードオンリーメモリ、及びラムバスダイナミックリードオンリーメモリ等の多くの形態で入手可能である。
【００７９】
コンピューター１１１２は、着脱可能／着脱不能の揮発性／不揮発性コンピューター記憶媒体も備えることができる。図１１は、例えば、ディスク記憶装置１１２４を示している。ディスク記憶装置１１２４は、磁気ディスクドライブ、フロッピーディスクドライブ、テープドライブ、フラッシュメモリカード、又はメモリスティックのようなデバイスを含むが、これらに限定されるものではない。加えて、ディスク記憶装置１１２４は、記憶媒体を単独で又は他の記憶媒体と組み合わせて含むことができる。他の記憶媒体は、コンパクトディスクリードオンリーメモリデバイス、コンパクトディスク記録可能ドライブ、コンパクトディスク再書き込み可能ドライブ又はデジタル多用途ディスクリードオンリーメモリ等の光ディスクドライブを含むが、これらに限定されるものではない。システムバス１１１８へのディスク記憶デバイス１１２４の接続を容易にするために、インターフェース１１２６等の着脱可能又は着脱不能のインターフェースが通常用いられる。
【００８０】
コンピューティングデバイスは通常、種々の媒体を含み、それらの媒体はコンピューター可読記憶媒体又は通信媒体を含むことができ、その２つの用語は、以下のように、本明細書において互いに異なるように使用される。
【００８１】
コンピューター可読記憶媒体は、コンピューターによってアクセスすることができる任意の入手可能な記憶媒体とすることができ、揮発性及び不揮発性媒体、着脱可能及び着脱不能媒体の両方を含む。例であって、限定はしないが、コンピューター可読記憶媒体は、コンピューター可読命令、プログラムモジュール、構造化データ又は非構造化データ等の情報を記憶するための任意の方法又は技術に関連して実現することができる。コンピューター可読記憶媒体は、リードオンリーメモリ、プログラマブルリードオンリーメモリ、電気的プログラマブルリードオンリーメモリ、電気的消去可能リードオンリーメモリ、フラッシュメモリ若しくは他のメモリ技術、コンパクトディスクリードオンリーメモリ、デジタル多用途ディスク若しくは他の光ディスク記憶装置、磁気カセット、磁気テープ、磁気ディスク記憶装置若しくは他の磁気記憶デバイス、又は所望の情報を記憶するのに用いることができる他の有形媒体を含むことができるが、これらに限定されるものではない。この点に関して、記憶装置、メモリ又はコンピューター可読媒体に適用することができる本明細書における「有形」という用語は、限定（modifier）として、伝播のみする無形の信号自体を除外するものと理解されるべきであり、伝播のみする無形の信号自体ではない全ての標準的な記憶装置、メモリ又はコンピューター可読媒体を含むことを放棄するものではない。一態様では、有形媒体は、非一時的媒体を含むことができ、記憶装置、メモリ又はコンピューター可読媒体に適用することができる本明細書における「非一時的」という用語は、限定として、伝播のみする一時的信号自体を除外するものと理解されるべきであり、伝播のみする一時的信号自体ではない全ての標準的な記憶装置、メモリ又はコンピューター可読媒体を含むことを放棄するものではない。コンピューター可読記憶媒体は、媒体によって記憶される情報に関する種々の動作のために、例えば、アクセス要求、問い合わせ又は他のデータ検索プロトコルを介して、１つ以上のローカル若しくはリモートコンピューティングデバイスによってアクセスすることができる。したがって、例えば、コンピューター可読媒体は、実行に応じて、変化をもたらす帯域チャネルデータを更に含むＲＲＣ接続解除メッセージを生成することを含む動作を、プロセッサを備えるシステムに実行させる、記憶された実行可能命令を含むことができる。
【００８２】
通信媒体は通常、被変調データ信号、例えば、搬送波又は他の搬送機構等のデータ信号において、コンピューター可読命令、データ構造、プログラムモジュール又は他の構造化若しくは非構造化データを具現化し、任意の情報送達又は搬送媒体を含む（正：comprise）。「被変調データ信号」又は信号という用語は、１つ以上の信号内に情報を符号化するように設定又は変更される特性のうちの１つ以上を有する信号を指している。例であって、限定はしないが、通信媒体は、有線ネットワーク又は直結される接続等の有線媒体、及び音響、ＲＦ、赤外線及び他のワイヤレス媒体等のワイヤレス媒体を含む。
【００８３】
図１１は、ユーザーと、適した動作環境１１００において表されたコンピューターリソースとの間の仲介として機能するソフトウェアを表していることに留意することができる。そのようなソフトウェアは、オペレーティングシステム１１２８を含む。ディスク記憶装置１１２４に記憶することができるオペレーティングシステム１１２８は、コンピューターシステム１１１２のリソースを制御及び配分するように動作する。システムアプリケーション１１３０は、システムメモリ１１１６又はディスク記憶装置１１２４のいずれかに記憶されたプログラムモジュール１１３２及びプログラムデータ１１３４を通じて、オペレーティングシステム１１２８によるリソースの管理を利用する。開示された主題は、様々なオペレーティングシステム又はオペレーティングシステムの組み合わせとともに実施することができることに留意されたい。
【００８４】
ユーザーは、入力デバイス（複数の場合もある）１１３６を通じてコマンド又は情報をコンピューター１１１２内に入力することができる。幾つかの実施形態では、ユーザーインターフェースは、ユーザープリファレンス情報等の入力を可能にすることができ、ユーザーがコンピューター１１１２とインタラクトすることを可能にするタッチディスプレイパネル、グラフィカルユーザーインターフェース（ＧＵＩ）へのマウス／ポインター入力部、コマンドライン制御インターフェース等において具現化することができる。入力デバイス１１３６は、マウス、トラックボール、スタイラス等のポインティングデバイス、タッチパッド、キーボード、マイク、ジョイスティック、ゲームパッド、サテライトディッシュ、スキャナー、ＴＶチューナーカード、デジタルカメラ、デジタルビデオカメラ、ウェブカメラ、携帯電話、スマートフォン、タブレットコンピューター等を含むが、これらに限定されるものではない。これらの入力デバイス及び他の入力デバイスは、インターフェースポート（複数の場合もある）１１３８を経由してシステムバス１１１８を通って処理ユニット１１１４に接続する。インターフェースポート（複数の場合もある）１１３８は、例えば、無線サービス等に関連したシリアルポート、パラレルポート、ゲームポート、ユニバーサルシリアルバス、赤外線ポート、Ｂｌｕｅｔｏｏｔｈポート、ＩＰポート、又は論理ポートを含む。出力デバイス（複数の場合もある）１１４０は、入力デバイス（複数の場合もある）１１３６と同じタイプのポートのうちの幾つかを用いる。
【００８５】
したがって、例えば、ユニバーサルシリアルバスポートは、コンピューター１１１２への入力を提供するとともに、コンピューター１１１２からの情報を出力デバイス１１４０に出力するのに用いることができる。出力デバイス１１４０の中でもとりわけ特殊なアダプターを用いるモニター、スピーカー、及びプリンターのような幾つかの出力デバイス１１４０が存在することを示すために、出力アダプター１１４２が設けられる。出力アダプター１１４２は、限定ではなく例示として、出力デバイス１１４０とシステムバス１１１８との間の接続手段を提供するビデオカード及びサウンドカードを含む。他のデバイス及び／又はデバイスのシステムは、リモートコンピューター（複数の場合もある）１１４４等の入力及び出力の双方の能力を提供することに留意されたい。
【００８６】
コンピューター１１１２は、リモートコンピューター（複数の場合もある）１１４４等の１つ以上のリモートコンピューターへの論理接続を用いてネットワーク接続環境において動作することができる。リモートコンピューター（複数の場合もある）１１４４は、パーソナルコンピューター、サーバー、ルーター、ネットワークＰＣ、クラウド記憶装置、クラウドサービス、クラウドコンピューティング環境において実行されるコード、ワークステーション、マイクロプロセッサベース器具、ピアデバイス、又は他の一般的なネットワークノード等とすることができ、通常、コンピューター１１１２に関して説明した要素の多く又は全てを備える。クラウドコンピューティング環境、クラウド、又は他の類似の用語は、処理リソース及びデータを１つ以上のコンピューター及び／又は他のデバイスと必要に応じて共有して、容易にプロビジョニング及び解放することができる構成可能なコンピューティングリソースの共有プールへのアクセスを可能にすることができるコンピューティングを指すことができる。クラウドコンピューティング及び記憶の解決策は、規模の経済を利用することができるサードパーティーのデータセンターにおけるデータの記憶及び／又は処理とすることができ、クラウドサービスを介したコンピューティングリソースへのアクセスを、電気エネルギーにアクセスするために電気事業への加入、電話サービスにアクセスするために電気事業への加入等と同様にみなすことができる。
【００８７】
簡略にするために、メモリ記憶デバイス１１４６のみがリモートコンピューター（複数の場合もある）１１４４とともに示されている。リモートコンピューター（複数の場合もある）１１４４は、ネットワークインターフェース１１４８を通じてコンピューター１１１２に論理的に接続され、さらに、通信接続１１５０を経由して物理的に接続される。ネットワークインターフェース１１４８は、ローカルエリアネットワーク及びワイドエリアネットワーク等の有線通信ネットワーク及び／又は無線通信ネットワークを包含する。ローカルエリアネットワーク技術は、ファイバー分散データインターフェース、銅分散データインターフェース、イーサネット、トークンリング等を含む。ワイドエリアネットワーク技術は、ポイントツーポイントリンク、サービス統合デジタルネットワーク及びそれらの変形形態のような回線交換ネットワーク、パケット交換ネットワーク、並びにデジタル加入者線を含むが、これらに限定されるものではない。以下で言及するように、無線技術は、上記のものに加えて又は上記のものに代えて用いることができる。
【００８８】
通信接続（複数の場合もある）１１５０は、ネットワークインターフェース１１４８をバス１１１８に接続するのに用いられるハードウェア／ソフトウェアを指す。通信接続１１５０は、説明を明瞭にするためにコンピューター１１１２の内部に示されているが、コンピューター１１１２の外部にすることもできる。ネットワークインターフェース１１４８への接続用のハードウェア／ソフトウェアは、例えば、正規電話グレードモデム、ケーブルモデム及びデジタル加入者線モデムを含むモデム、サービス統合デジタルネットワークアダプター、並びにイーサネットカード等の内部技術及び外部技術を含むことができる。
【００８９】
要約書において記述されることを含む、本開示の例示される実施形態の上記の記述は、網羅的に述べることを意図するものではなく、開示される実施形態を開示されるのと全く同じ形態に限定することを意図するものでもない。例示のために、本明細書において具体的な実施形態及び例が記述されるが、当業者が認識できるような、そのような実施形態及び例の範囲内で考えられる種々の変更が可能である。
【００９０】
この関連で、開示される主題は種々の実施形態及び対応する図に関連して記述されてきたが、適用可能な場合には、開示される主題から逸脱することなく、他の類似の実施形態を用いることができるか、又は開示される主題の同じ機能、類似の機能、代替機能又は代用機能を実行するために記述される実施形態に対して変更を加えること及び追加することができることは理解されたい。それゆえ、開示される主題は、本明細書において記述される任意の単一の実施形態に限定されるべきではなく、以下に添付の特許請求の範囲による広さ及び範囲内で解釈されるべきである。
【００９１】
本主題の明細書に用いられるような「プロセッサ」という用語は、シングルコアプロセッサ、ソフトウェアマルチスレッド実行能力を有するシングルプロセッサ、マルチコアプロセッサ、ソフトウェアマルチスレッド実行能力を有するマルチコアプロセッサ、ハードウェアマルチスレッド技術を有するマルチコアプロセッサ、パラレルプラットフォーム、及び分散共有メモリを有するパラレルプラットフォームを含むがこれらに限定されない、実質的に任意のコンピューティング処理ユニット又はデバイスを指すことができる。加えて、プロセッサは、本明細書に説明した機能を実行するように設計された集積回路、特定用途向け集積回路、デジタル信号プロセッサ、フィールドプログラマブルゲートアレイ、プログラマブルロジックコントローラー、コンプレックスプログラマブルロジックデバイス、離散ゲート若しくはトランジスタロジック、離散ハードウェア構成要素、又はそれらの任意の組み合わせを指すことができる。プロセッサは、空間利用の最適化又はユーザー機器の性能向上を図るために、分子及び量子ドットに基づくトランジスタ、スイッチ及びゲート等であるがこれらに限定されないナノスケールアーキテクチャを利用することができる。プロセッサは、コンピューティング処理ユニットの組み合わせとしても実施することができる。
【００９２】
本出願に用いられるような「構成要素」、「システム」、「プラットフォーム」、「レイヤ」、「セレクター」、「インターフェース」等の用語は、１つ以上の特定の機能を有するコンピューター関連エンティティ又は作動装置に関連したエンティティを指すように意図され、このエンティティは、ハードウェア、ハードウェア及びソフトウェアの組み合わせ、ソフトウェア、又は実行中のソフトウェアのいずれかとすることができる。一例として、構成要素は、プロセッサ上で実行されるプロセス、プロセッサ、オブジェクト、実行ファイル、実行スレッド、プログラム、及び／又はコンピューターであり得るが、それに限定されない。例証として、限定はしないが、サーバー上で実行されるアプリケーション及びサーバーの双方が構成要素であり得る。１つ以上の構成要素は、プロセス及び／又は実行スレッド内に常駐し得、構成要素は、１つのコンピューター上に位置し得る及び／又は２つ以上のコンピューターの間に分散し得る。加えて、これらの構成要素は、種々のデータ構造がその上に記憶されている種々のコンピューター可読媒体からも実行され得る。構成要素は、１つ以上のデータパケット（例えば、ローカルシステム内で、分散システム内で、及び／又は、信号による他のシステムに関するインターネット等のネットワークにわたって別の構成要素と相互作用する１つの構成要素からのデータ）を含む信号に従って等で、ローカル及び／又はリモートプロセスを介して通信し得る。別の例として、構成要素は、プロセッサによって実行されるソフトウェア又はファームウェアアプリケーションによって動作する電気又は電子回路要素によって動作する機械部品によって提供される特定の機能を有する装置であり得る。ここで、プロセッサは、装置の内部又は外部にある可能性があり、ソフトウェア又はファームウェアアプリケーションの少なくとも一部を実行する。なお別の例として、構成要素は、機械部品なしで電子構成要素を通して特定の機能を提供する装置であり得る。その電子構成要素は、電子構成要素の機能を少なくとも部分的に与えるソフトウェア又はファームウェアを実行するために内部にプロセッサを備え得る
【００９３】
加えて、「又は」という用語は、排他的な「又は」ではなく、包含的な「又は」を意味することを意図している。すなわち、別段の指示がない限り、又は文脈において明らかでない限り、「ＸがＡ又はＢを利用する」は、自然な包含的置換のいずれかを意味することを意図している。すなわち、ＸがＡを利用する、ＸがＢを利用する、又はＸがＡ及びＢの両方を利用する場合には、上記の事例のうちのいずれのもとにおいても、「Ｘが、Ａ又はＢを利用する」が満たされる。さらに、本主題の明細書及び添付の図面において用いられる冠詞「一（"a" and "an"）」は、一般に、別段の指示がない限り又は単数形を対象とすることが文脈から明らかでない限り、「１つ以上」を意味すると解釈されるべきである。
【００９４】
さらに、「含む／備える（include）」という用語は、クローズド用語又は排除的用語ではなくオープン用語又は包括的用語として用いられるように意図されている。「含む／備える」という用語は、「備える／含む（comprising）」という用語と置き換えることができ、別の用法で用いられていることが明らかでない限り、類似の範囲を有するものとして扱われるべきである。一例として、「りんごを含むフルーツバスケット」は、「りんごを備えるフルーツバスケット」と同じ範囲の幅を有するものとして扱われるべきである。
【００９５】
その上、「ユーザー機器（ＵＥ）」、「モバイル局」、「モバイル加入者局」、「加入者機器」、「アクセス端末」、「端末」、「ハンドセット」のような用語及び類似の術語は、無線通信サービスの加入者又はユーザーが、データ、制御、音声、ビデオ、サウンド、ゲーミング、又は実質的に任意のデータストリーム若しくはシグナリングストリームを受信又は伝達するのに利用する無線デバイスを指す。上記用語は、本主題の明細書及び関連図面において交換可能に利用される。同様に、「アクセスポイント」、「基地局」、「ＮｏｄｅＢ」、「進化型ＮｏｄｅＢ」、「ｅＮｏｄｅＢ」、「ホームＮｏｄｅＢ」、「ホームアクセスポイント」等の用語も、本主題の出願において交換可能に利用され、データ、制御、音声、ビデオ、サウンド、ゲーミング、又は実質的に任意のデータストリーム若しくはシグナリングストリームを一組の加入者局又はプロバイダー対応デバイスへ／から供給／受信する無線ネットワーク構成要素又は無線ネットワーク器具を指す。データストリーム及びシグナリングストリームは、パケット化されたフロー又はフレームベースのフローを含むことができる。
【００９６】
加えて、「コアネットワーク」、「コア」、「コアキャリアネットワーク」、「キャリア側」という用語又は類似の用語は、通常、アグリゲーション、認証、呼制御及びスイッチング、課金、サービス呼び出し、又はゲートウェイのうちの幾つか又は全てを提供する電気通信ネットワークの構成要素を指すことができる。アグリゲーションは、サービスプロバイダーネットワークにおける最高レベルのアグリゲーションを指すことができる。コアノード下の階層における次のレベルは、分散ネットワークと、次にエッジネットワークである。ＵＥは、通常、大規模サービスプロバイダーのコアネットワークに直接接続せず、スイッチ又は無線アクセスネットワークを経由してコアにルーティングすることができる。認証は、電気通信ネットワークにサービスを要求するユーザーがこのネットワーク内でサービスを要求する権限を有するか否かに関する判断を指すことができる。呼制御及びスイッチングは、呼信号処理に基づく、キャリア機器全体にわたる呼ストリームの今後の進路に関連した決定を指す（正：refer to）ことができる。課金は、様々なネットワークノードによって生成される課金データの照合及び処理に関するものとすることができる。今日のネットワークに見られる２つの一般的なタイプの課金メカニズムは、プリペイド課金及びポストペイド課金とすることができる。サービス呼び出しは、或る明示的な動作（例えば、呼転送）に基づいて行うこともできるし、暗黙的（例えば、呼待機）に行うこともできる。サービス「実行」は、サードパーティーネットワーク／ノードが実際のサービス実行に関与している場合があるので、コアネットワーク機能である場合もあるし、ない場合もあることに留意されたい。ゲートウェイは、他のネットワークにアクセスするためにコアネットワークに存在することができる。ゲートウェイ機能は、別のネットワークとのインターフェースのタイプに依存することができる。
【００９７】
さらに、用語「ユーザー」、「加入者」、「顧客（customer）」、「消費者（consumer）」、「生産消費者（prosumer）」、「代理業者（agent）」等は、コンテキストが用語の間で特定の区別（複数の場合もある）を保証しない限り、本主題の明細書全体を通して交換可能に使用される。こうした用語が、人間エンティティ、又は、シミュレートされたビジョン、音認識等を提供し得る自動化構成要素（例えば、複雑な数学公式（complex mathematical formalisms）に基づいて推論する能力を通すように、人工知能を通してサポートされる）を指し得ることが理解されるべきである。
【００９８】
本主題の態様、特徴、又は利点は、実質的に任意又は任意の有線電気通信、放送電気通信、無線電気通信、電波通信の技術若しくはネットワーク、又はそれらの組み合わせにおいて利用することができる。そのような技術又はネットワークの非限定的な例は、放送技術（例えば、サブヘルツ放送、極低周波数放送、超低周波数放送、低周波数放送、中周波数放送、高周波数放送、超高周波数放送、極高周波数放送、極超高周波数放送、テラヘルツ放送等）；イーサネット；Ｘ．２５；電力線タイプネットワーキング、例えば、電力線オーディオビデオイーサネット等；フェムトセル技術；Ｗｉ−Ｆｉ；マイクロ波アクセスのための世界的相互運用性；拡張汎用パケット無線サービス；第３世代パートナーシッププロジェクトのロングタームエボリューション；第３世代パートナーシッププロジェクトのユニバーサルモバイル電気通信システム；第３世代パートナーシッププロジェクト２のウルトラモバイルブロードバンド；高速パケットアクセス；高速ダウンリンクパケットアクセス；高速アップリンクパケットアクセス；モバイル通信進化型無線アクセスネットワーク用グローバルシステムの拡張データレート；ユニバーサルモバイル電気通信システム地上無線アクセスネットワーク；又はロングタームエボリューションアドバンストを含む。
【００９９】
「推論する」又は「推論」という用語は、一般に、イベント及び／又はデータを介して捕捉された一組の観測値からシステム、環境、ユーザー、及び／又は意図について推理するプロセス、又は、それらの状態を推論するプロセスを指すことができる。捕捉されたデータ及びイベントは、ユーザーデータ、デバイスデータ、環境データ、センサーからのデータ、センサーデータ、アプリケーションデータ、暗黙的なデータ、明示的なデータ等を含むことができる。推論は、例えば、特定の状況又は動作を識別するのに用いることもできるし、データ及びイベントの検討に基づいて、対象となる状態に関する確率分布を生成することもできる。推論は、一組のイベント及び／又はデータからより高いレベルのイベントを構成するのに用いられる技法も指すことができる。そのような推論は、イベントを、幾つかの場合には、時間的に近接して相関させることができるか否かを問わず、また、イベント及びデータが１つ又は幾つかのイベント源及びデータ源からのものであるか否かを問わず、一組の観測されたイベント及び／又は記憶されたイベントデータからの新たなイベント又は動作の構築をもたらす。様々な分類方式及び／又は分類システム（例えば、サポートベクターマシン、ニューラルネットワーク、エキスパートシステム、ベイジアン信念ネットワーク、ファジー論理、及びデータ融合エンジン）を、開示された主題と関連した自動的な及び／又は推論された動作の実行とともに用いることができる。
【０１００】
上記で説明したものは、開示された主題を例示するシステム及び方法の例を含む。当然のことながら、本明細書における構成要素又は方法のあらゆる組み合わせを説明することは可能でない。当業者であれば、特許請求される主題の多くの更なる組み合わせ及び並べ替えが可能であることを認識することができる。さらに、「含む／備える（includes）」、「有する（has）」、「保有する（possesses）」等の用語が詳細な説明、特許請求の範囲、附属書類及び図面において用いられる限りにおいて、そのような用語は、用語「備える／含む（comprising）」が特許請求の範囲において移行語（transitional word）として用いられるときに解釈されるように、用語「備える／含む（comprising）」と同様に包括的であることが意図されている。
【図１】
2019537860.tif 000003
【図２】
2019537860.tif 000004
【図３】
2019537860.tif 000005
【図４】
2019537860.tif 000006
【図５】
2019537860.tif 000007
【図６】
2019537860.tif 000008
【図７】
2019537860.tif 000009
【図８】
2019537860.tif 000010
【図９】
2019537860.tif 000011
【図１０】
2019537860.tif 000012
【図１１】
2019537860.tif 000013
【国際調査報告】
2019537860.tif 000014
2019537860.tif 000015
2019537860.tif 000016